(57)【要約】  本発明は、式（Ｉ）の反応性染料（その中の、ｎ、Ａ、Ｂ及びＫは特許請求項において定義されたものである）、それらを調製するためのプロセス、並びにヒドロキシル含有、アミノ含有、及び／又はカルボキサミド含有材料を染色及び捺染するためのそれらの使用、に関する。【化１】2015531001.tif 000272
2015531001.tif 000002
【特許請求の範囲】
【請求項１】
式（Ｉ）の化合物。
【化１】
2015531001.tif 000242
［式中、
ｎは、０又は１であり；
Ｋは、以下において説明する、カップリング成分の基であり；
Ａは、以下において説明する、中間成分の基であり；
Ｂは、以下において説明する、ジアゾ成分の基であり；
Ｍは、水素、ナトリウム、カリウム、リチウム、又はアンモニウムであり；
Ｋは、一般式（Ｋ１）〜（Ｋ３）のうちの一つのカップリング成分であり；
【化２】
2015531001.tif 000243
式中、
Ｒ１及びＲ４は、互いに独立して、水素、アルキル、シクロアルキル、トリフルオロメチル；アルコキシ、シアノ、カルバモイル、アルコキシカルボニル、ＣＯＯＭ、アミノ；ヒドロキシル、モノシクロアルキル−アミノ；モノアルキル−アミノ；ジ（シクロ）アルキル−アミノ；ジアルキル−アミノ；モノアリール−アミノ；ジアリール−アミノ；モノシクロアルキルモノアリールアミノ；モノアルキルモノアリールアミノ；アルキルチオ；アリールチオであるか；
又は
ヒドロキシ、シクロアルキル、ヘテロアリール、ヘテロシクロアルキル、アリール、アリールオキシ、アルコキシ、アルキルチオ、アリールチオ、ハロゲン、シアノ、ＣＯＯＭ、アルコキシカルボニル、アシルオキシ、カルバモイル、ニトロ、アミノ、アシルアミノ、アリールカルボニルアミノ、アルキルスルホニルアミノ、アリールスルホニルアミノ、ウレイド、アルキルウレイド、及びフェニルウレイドからなる群から選択される１種又は複数の置換基によって置換されたアルキルであり；
Ｒ２、Ｒ５、及びＲ１１は、互いに独立して、シアノ、カルバモイル、アルコキシカルボニル、トリフルオロメチル、カルボニルトリフルオロメチル、ハロゲン、スルホメチル、又は−ＳＯ３Ｍであり；
Ｒ３、Ｒ６、Ｒ７、Ｒ８、Ｒ９、及びＲ１２は、互いに独立して、
水素、アルキル、アルケニル、シクロアルキル、トリフルオロメチル、アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ；Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか、
又は
１個又は複数のヘテロ原子、たとえば酸素又は硫黄を有するアルキルであるか、
又は
ヒドロキシ、アリール、シクロアルキル、アルコキシ、チオアルコキシ、アミノ、Ｎ−モノアルキル−アミノ、Ｎ，Ｎ−ジアルキルアミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及びＳＯ３Ｍからなる群から選択される１種又は複数の置換基によって置換されたアルキルであるか；
又は
−ＳＯ２Ｘによって置換されたアルキル又はアリールであるが；ここで
Ｘは、ビニル又は基−ＣＨ２ＣＨ２−Ｙ（ここで、Ｙは、アルカリ性条件下で除去可能な基、たとえば、ＯＳＯ３Ｍ、ＳＳＯ３Ｍ、ＯＣＯＣＨ３、ＯＰＯ３Ｍ又はハロゲンである）であり；そして
Ｒ１０は、ヒドロキシル基又はアミノ基であり；
ここで、一般式Ｋ２においては、結合点及びＲ５が、前記置換基Ｒ６及びＲ７を担持するアミノ残基に対してオルト位又はパラ位に位置することが可能であるが、このことはすなわち、結合点が前記置換基Ｒ６及びＲ７を担持するアミノ残基に対してオルト位に位置している場合には、Ｒ５がそれに対してパラ位に位置し、その逆もまた同様であるということを意味しているか、
又は、Ｋは、一般式（Ｋ４）〜（Ｋ６）のうちの一つのカップリング成分であり；
【化３】
2015531001.tif 000244
ここで、
Ｔは、一般式（Ｔ１）〜（Ｔ３）のうちの一つの反応性末端基であり；
【化４】
2015531001.tif 000245
式中、
Ｒ２４及びＲ２５は、互いに独立して、ハロゲン又は次式の基であり、
【化５】
2015531001.tif 000246
Ｒ２６、Ｒ２７、Ｒ２８、Ｒ２９、及びＲ３０は、互いに独立して、ハロゲンであるか；
又は
Ｒ２４、Ｒ２５、Ｒ２６、Ｒ２７、Ｒ２８、Ｒ２９、及びＲ３０のそれぞれは、互いに独立して、一般式（１ａ）〜（１ｃ）からなる群より選択される一種によって置換されており；
【化６】
2015531001.tif 000247
式中、
Ｒ３１、Ｒ３２、Ｒ３３９、及びＲ３４０は、互いに独立して、水素、アルキル、フェニル又はアルキル、アルコキシ、ハロゲン、及び−ＳＯ３Ｍからなる群より選択される一種によって置換されているフェニル；アルケニル、シクロアルキル、トリフルオロメチル、アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ，Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか、
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及びＳＯ３Ｍからなる群から選択される１種又は複数の置換基によって置換されたアルキルであり；
Ｒ３３、Ｒ３４及びＲ３３８は、互いに独立して、水素、アルキル、アルコキシル、ハロゲン、トリフルオロメチル、シアノ、ニトロ、エステル、カルバモイル、ＳＯ３Ｍ、又は−ＳＯ２Ｘであり；
ここで、Ｍは、水素、ナトリウム、カリウム、リチウム、又はアンモニウムであり；
Ｘは、ビニル又は基−ＣＨ２ＣＨ２−Ｙ（ここで、Ｙは、アルカリ性条件下で除去可能な基、たとえば、ＯＳＯ３Ｍ、ＳＳＯ３Ｍ、ＯＣＯＣＨ３、ＯＰＯ３Ｍ又はハロゲンである）であり；
ｐは、１〜５の整数であり；
Ｒ１３及びＲ１５は、互いに独立して、水素、アルキル、シクロアルキル、トリフルオロメチル；アルコキシ、シアノ、カルバモイル、アルコキシカルボニル、ＣＯＯＭ、アミノ；ヒドロキシル、モノシクロアルキル−アミノ；モノアルキル−アミノ；ジ（シクロ）アルキル−アミノ；ジアルキル−アミノ；モノアリール−アミノ；ジアリール−アミノ；モノシクロアルキルモノアリールアミノ；モノアルキルモノアリールアミノ；アルキルチオ；アリールチオであるか；
又は
ヒドロキシ、シクロアルキル、ヘテロアリール、ヘテロシクロアルキル、アリール、アリールオキシ、アルコキシ、アルキルチオ、アリールチオ、ハロゲン、シアノ、ＣＯＯＭ、アルコキシカルボニル、アシルオキシ、カルバモイル、ニトロ、アミノ、アシルアミノ、アリールカルボニルアミノ、アルキルスルホニルアミノ、アリールスルホニルアミノ、ウレイド、アルキルウレイド、及びフェニルウレイドからなる群から選択される１種又は複数の置換基によって置換されたアルキルであり；
Ｒ１２、Ｒ１６、及びＲ２２は、互いに独立して、シアノ、カルバモイル、アルコキシカルボニル、トリフルオロメチル、カルボニルトリフルオロメチル、ハロゲン、メチルスルホニル又は−ＳＯ３Ｍであり；
Ｒ１４、Ｒ１７〜Ｒ２０、及びＲ２３は、互いに独立して、水素、アルキル、アルケニル、シクロアルキル、トリフルオロメチル、カルボニルトリフルオロメチル、ハロゲン、メチルスルホニル、若しくは−ＳＯ３Ｍ；アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ；Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか、
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキルアミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及びＳＯ３Ｍからなる群から選択される１種又は複数の置換基によって置換されたアルキルであり；
Ｒ２１は、ヒドロキシル基又はアミノ基であり；
ここで、一般式Ｋ５においては、結合点及びＲ１６が、前記置換基Ｒ１７及びＲ１８を担持するアミノ残基に対してオルト位又はパラ位に位置することが可能であるが、このことはすなわち、結合点が前記置換基Ｒ１７及びＲ１８を担持するアミノ残基に対してオルト位に位置している場合には、Ｒ１６がそれに対してパラ位に位置し、その逆もまた同様であるということを意味しており、
Ａは、フェニレン又はナフチレンをベースとする中間成分であって、一般式（Ａ１）〜（Ａ２）を有しており；
【化７】
2015531001.tif 000248
式中、
Ｒ３４１〜Ｒ３４８は、互いに独立して、水素、アルキル、１個又は２個のヘテロ原子を有するアルキル鎖、アルコキシ、ハロゲン、トリフルオロメチル；シクロアルキル；ヘテロシクロアルキル；シアノ；ニトロ；アシルオキシ；アルキルカルボニル、アシルアミノ；アリーロイルアミノ、シンナモイルアミノ、アルキルスルホニルアミノ；アルキルチオ；アルキルスルホニル、アルコキシカルボニル、カルバモイル、スルファモイル、ウレイド、アルキルウレイド、ＳＯ３Ｍ、ＣＯＯＭであるか；
又は
ヒドロキシ、アリール、シクロアルキル、アルコキシ、チオアルコキシ、アミノ、Ｎ−モノアルキル−アミノ、Ｎ，Ｎ−ジアルキルアミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及びＳＯ３Ｍからなる群から選択される１種又は複数の置換基によって置換されたアルキルであり；
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキルアミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及びＳＯ３Ｍからなる群から選択される１種又は複数の置換基によって置換されたアルキルであるか；
又は
式（２ａ）〜（２ｃ）の基であり、
【化８】
2015531001.tif 000249
ここで、Ｒ３４９及びＲ３５０は、互いに独立して、水素、アルキル、ＳＯ３Ｍによって置換されたアルキル、１個又は２個のヘテロ原子を有するアルキル鎖、又はＴ（Ｔは上と同じ意味を有している）であり；
Ｕは、−Ｏ−、−Ｓ−、又は−Ｎ（Ｒ３２９）−であり；
Ｒ３２３、Ｒ３２７、及びＲ３２９は、互いに独立して、水素、アルキル、ＳＯ３Ｍによって置換されたアルキル、１個又は２個のヘテロ原子を有するアルキル鎖であり；
Ｒ３２４、Ｒ３２５、Ｒ３２６、及びＲ３２８は、互いに独立して、水素、アルキル、又は１個又は２個のヘテロ原子を有するアルキル鎖であり；
ｒは、０〜６の整数であり；
ｓは、１〜６の整数であり；
＊＊は、Ａ１及びＡ２との結合点を表し；
＊＊＊は、Ｔとの結合点を表し；
Ｂは、ジアゾ成分であって、一般式（Ｂ１）又は（Ｂ２）のいずれかを有しており；
【化９】
2015531001.tif 000250
式中、
Ｒ３４〜Ｒ４０及びＲ３５１は、互いに独立して、水素、又はアルキル、アルコキシ、ハロゲン、シアノ、−ＳＯ３Ｍ、トリフルオロメチル、ニトロ、エステル、ＮＨＣ（Ｏ）Ｒ４１、ＣＯＮＨ２、Ｓ（Ｏ）２Ｒ４２、−ＳＯ２Ｘであるか、又はＴ若しくは一般式（Ｅ１）〜（Ｅ３）によりアミノ置換されており；
【化１０】
2015531001.tif 000251
式中、
Ｖは、−Ｏ−、−Ｓ−、又は−Ｎ（Ｒ３５２）−であり；
Ｒ４３、Ｒ４７、及びＲ３５２は、互いに独立して、水素、アルキル、ＳＯ３Ｍによって置換されたアルキル、１個又は２個のヘテロ原子を有するアルキル鎖であり；
Ｒ４４、Ｒ４５、Ｒ４６、及びＲ４８は、互いに独立して、水素、アルキル、又は１個又は２個のヘテロ原子を有するアルキル鎖であり；
Ｒ３３０、Ｒ３３１、Ｒ３３２、及びＲ３３３は、互いに独立して、水素、又はアルキル、アルコキシ、ハロゲン、シアノ、−ＳＯ３Ｍ、トリフルオロメチル、ニトロ、エステル、ＮＨＣ（Ｏ）Ｒ３３４、ＣＯＮＨ２、Ｓ（Ｏ）２Ｒ３３５、又は式（３ａ）の基であり；
【化１１】
2015531001.tif 000252
Ｒ３３６及びＲ３３７は、互いに独立して、水素、アルキル、アルケニル、シクロアルキル、トリフルオロメチル、アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ；Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか、
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及びＳＯ３Ｍからなる群から選択される１種又は複数の置換基によって置換されたアルキルであり；
残基反応性末端基Ｔに結合する自由電子価を有する残基を含み；
Ｒ４１、Ｒ４２、Ｒ３３４、及びＲ３３５は、互いに独立して、水素、アルキル又はヒドロキシ若しくはハロゲンによって置換されたアルキルであり；
ｃは、０〜６の整数であり、
ｄは、１〜６の整数であり、
＊＊＊＊は、Ｂ１とＢ２との結合点を表し、
＊＊＊＊＊は、Ｔとの結合点を表し、
＊＊＊＊＊＊はＥ３との結合点を表し、
Ｔ及びＸは、先に定義されたのと同じであるが；
ただし、一般的には、一般式（Ｉ）の前記染料には少なくとも１種の反応性末端基が含まれている］
【請求項２】
式（Ｉａ）〜（Ｉｆ）のうちの一つを有する、請求項１に記載の化合物。
【化１２】
2015531001.tif 000253
【化１３】
2015531001.tif 000254
【化１４】
2015531001.tif 000255
［式中、
Ｒ４９、Ｒ８５、Ｒ５８、Ｒ６６、及びＲ７８は、互いに独立して、水素、アルキル、シクロアルキル、トリフルオロメチル；アルコキシ、シアノ、カルバモイル、アルコキシカルボニル、ＣＯＯＭ、アミノ；ヒドロキシル、モノシクロアルキル−アミノ；モノアルキル−アミノ；ジ（シクロ）アルキル−アミノ；ジアルキル−アミノ；モノアリール−アミノ；ジアリール−アミノ；モノシクロアルキルモノアリールアミノ；モノアルキルモノアリールアミノ；アルキルチオ；アリールチオであるか；
又は
ヒドロキシ、シクロアルキル、ヘテロアリール、ヘテロシクロアルキル、アリール、アリールオキシ、アルコキシ、アルキルチオ、アリールチオ、ハロゲン、シアノ、ＣＯＯＭ、アルコキシカルボニル、アシルオキシ、カルバモイル、ニトロ、アミノ、アシルアミノ、アリールカルボニルアミノ、アルキルスルホニルアミノ、アリールスルホニルアミノ、ウレイド、アルキルウレイド、及びフェニルウレイドからなる群から選択される１種又は複数の置換基によって置換されたアルキルであり；
Ｒ５０、Ｒ５４、Ｒ５９、Ｒ６７、Ｒ７５、及びＲ７９は、互いに独立して、シアノ、カルバモイル、アルコキシカルボニル、トリフルオロメチル、カルボニルトリフルオロメチル、ハロゲン、メチルスルホニル、又は−ＳＯ３Ｍであり；
Ｒ５１、Ｒ５５、Ｒ６０、及びＲ６８は、互いに独立して、水素、アルキル、アルケニル、シクロアルキル、トリフルオロメチル、アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ；Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか、
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及びＳＯ３Ｍからなる群から選択される１種又は複数の置換基によって置換されたアルキルであり；
Ｒ５２、Ｒ５３、Ｒ５６、Ｒ５７、Ｒ６４、Ｒ６５、Ｒ７２、Ｒ７３、Ｒ７６、Ｒ７７、Ｒ８３、及びＲ８４は、互いに独立して、水素、又はアルキル、アルコキシ、ハロゲン、シアノ、−ＳＯ３Ｍ、トリフルオロメチル、ニトロ、エステル、ＮＨＣ（Ｏ）Ｒ８６、ＣＯＮＨ２、Ｓ（Ｏ）２Ｒ８７、又は−ＳＯ２Ｘであり；
Ｒ８６及びＲ８７は、互いに独立して、水素、アルキル又はヒドロキシ若しくはハロゲンによって置換されたアルキルであり；
Ｒ６１〜Ｒ６３、Ｒ６９〜Ｒ７１、Ｒ８０〜Ｒ８２は、互いに独立して、水素、アルキル、置換されたアルキル、１個又は２個のヘテロ原子を有するアルキル鎖、アルコキシ、置換されたアルコキシ、ハロゲン、トリフルオロメチル；シクロアルキル；ヘテロシクロアルキル；シアノ；ニトロ；アシルオキシ；アルキルカルボニル、アシルアミノ；アリーロイルアミノ、シンナモイルアミノ、アルキルスルホニルアミノ；アルキルチオ；アルキルスルホニル、アルコキシカルボニル、カルバモイル、スルファモイル、ウレイド、アルキルウレイド、ＳＯ３Ｍ、ＣＯＯＭ；又は、式（２ａ）〜（２ｃ）の基であり、
そして、Ｘ及びＭは請求項１で定義されたものである］
【請求項３】
式（Ｉｇ）及び（Ｉｈ）のうちの一つを有する請求項１に記載の化合物又はそれらの混合物。
【化１５】
2015531001.tif 000256
［式中、
Ｒ９０及びＲ９４は、互いに独立して、水素、アルキル、シクロアルキル、トリフルオロメチル；アルコキシ、シアノ、カルバモイル、アルコキシカルボニル、ＣＯＯＭ、アミノ；ヒドロキシル、モノシクロアルキル−アミノ；モノアルキル−アミノ；ジ（シクロ）アルキル−アミノ；ジアルキル−アミノ；モノアリール−アミノ；ジアリール−アミノ；モノシクロアルキルモノアリールアミノ；モノアルキルモノアリールアミノ；アルキルチオ；アリールチオであるか；
又は
ヒドロキシ、シクロアルキル、ヘテロアリール、ヘテロシクロアルキル、アリール、アリールオキシ、アルコキシ、アルキルチオ、アリールチオ、ハロゲン、シアノ、ＣＯＯＭ、アルコキシカルボニル、アシルオキシ、カルバモイル、ニトロ、アミノ、アシルアミノ、アリールカルボニルアミノ、アルキルスルホニルアミノ、アリールスルホニルアミノ、ウレイド、アルキルウレイド、及びフェニルウレイドからなる群から選択される１種又は複数の置換基によって置換されたアルキルであり；
Ｒ９１及びＲ９５は、互いに独立して、シアノ、カルバモイル、アルコキシカルボニル、トリフルオロメチル、カルボニルトリフルオロメチル、ハロゲン、メチルスルホニル、又は−ＳＯ３Ｍであり；
Ｄ１及びＤ２は、互いに独立して、水素、アルキル、アルケニル、シクロアルキル、トリフルオロメチル、アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ；Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか、
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及びＳＯ３Ｍからなる群から選択される１種又は複数の置換基によって置換されたアルキルであり；
Ｒ９２、Ｒ９３、Ｒ９９、及びＲ１００は、互いに独立して、水素、又はアルキル、アルコキシ、ハロゲン、シアノ、−ＳＯ３Ｍ、トリフルオロメチル、ニトロ、エステル、ＮＨＣ（Ｏ）Ｒ１０１、ＣＯＮＨ２、Ｓ（Ｏ）２Ｒ１０２又は−ＳＯ２Ｘであり；
Ｒ１０１及びＲ１０２は、互いに独立して、水素、アルキル又はヒドロキシ若しくはハロゲンによって置換されたアルキルであり；
Ｒ９６〜Ｒ９８は、互いに独立して、水素、アルキル、置換されたアルキル、１個又は２個のヘテロ原子を有するアルキル鎖、アルコキシ、置換されたアルコキシ、ハロゲン、トリフルオロメチル；シクロアルキル；ヘテロシクロアルキル；シアノ；ニトロ；アシルオキシ；アルキルカルボニル、アシルアミノ；アリーロイルアミノ、シンナモイルアミノ、アルキルスルホニルアミノ；アルキルチオ；アルキルスルホニル、アルコキシカルボニル、カルバモイル、スルファモイル、ウレイド、アルキルウレイド、ＳＯ３Ｍ、ＣＯＯＭ；又は、式（２ａ）〜（２ｃ）の基であるが；
ただし、Ｄ１及びＤ２は、残基反応性末端基Ｔに結合する自由電子価を有する残基を含み；
Ｍ、Ｘ及びＴは、請求項１において定義されたものと同じである］
【請求項４】
式（Ｉｉ）〜（Ｉｌ）のうちの一つを有する請求項１に記載の化合物又はそれらの混合物。
【化１６】
2015531001.tif 000257
【化１７】
2015531001.tif 000258
［式中、
Ｒ１０５、Ｒ１１０、Ｒ１１５及びＲ１２３は、互いに独立して、水素、アルキル、シクロアルキル、トリフルオロメチル；アルコキシ、シアノ、カルバモイル、アルコキシカルボニル、ＣＯＯＭ、アミノ；ヒドロキシル、モノシクロアルキル−アミノ；モノアルキル−アミノ；ジ（シクロ）アルキル−アミノ；ジアルキル−アミノ；モノアリール−アミノ；ジアリール−アミノ；モノシクロアルキルモノアリールアミノ；モノアルキルモノアリールアミノ；アルキルチオ；アリールチオであるか；
又は
ヒドロキシ、シクロアルキル、ヘテロアリール、ヘテロシクロアルキル、アリール、アリールオキシ、アルコキシ、アルキルチオ、アリールチオ、ハロゲン、シアノ、ＣＯＯＭ、アルコキシカルボニル、アシルオキシ、カルバモイル、ニトロ、アミノ、アシルアミノ、アリールカルボニルアミノ、アルキルスルホニルアミノ、アリールスルホニルアミノ、ウレイド、アルキルウレイド、及びフェニルウレイドからなる群から選択される１種又は複数の置換基によって置換されたアルキルであり；
Ｒ１０６、Ｒ１１１、Ｒ１１６、及びＲ１２４は、互いに独立して、シアノ、カルバモイル、アルコキシカルボニル、トリフルオロメチル、カルボニルトリフルオロメチル、ハロゲン、メチルスルホニル又は−ＳＯ３Ｍであり；
Ｒ１０７、Ｒ１１２、Ｒ１１７、及びＲ１２５は、互いに独立して、水素、アルキル、アルケニル、シクロアルキル、トリフルオロメチル、アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ；Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか、
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及び−ＳＯ３Ｍからなる群から選択される１種又は複数の置換基によって置換されたアルキルであり；
Ｒ１０８、Ｒ１０９、Ｒ１１３、Ｒ１１４、Ｒ１２１、Ｒ１２２、Ｒ１２９、及びＲ１３０は、互いに独立して、水素、又はアルキル、アルコキシ、ハロゲン、シアノ、−ＳＯ３Ｍ、トリフルオロメチル、ニトロ、エステル、ＮＨＣ（Ｏ）Ｒ１３１、ＣＯＮＨ２、Ｓ（Ｏ）２Ｒ１３２、又は−ＳＯ２Ｘであり；
Ｒ１３１及びＲ１３２は、互いに独立して、水素、アルキル又はヒドロキシ若しくはハロゲンによって置換されたアルキルであり；
Ｒ１１８〜Ｒ１２０及びＲ１２６〜Ｒ１２８は、互いに独立して、水素、アルキル、置換されたアルキル、１個又は２個のヘテロ原子を有するアルキル鎖、アルコキシ、置換されたアルコキシ、ハロゲン、トリフルオロメチル；シクロアルキル；ヘテロシクロアルキル；シアノ；ニトロ；アシルオキシ；アルキルカルボニル、アシルアミノ；アリーロイルアミノ、シンナモイルアミノ、アルキルスルホニルアミノ；アルキルチオ；アルキルスルホニル、アルコキシカルボニル、カルバモイル、スルファモイル、ウレイド、アルキルウレイド、ＳＯ３Ｍ、ＣＯＯＭ；又は、式（２ａ）〜（２ｃ）の基であり；
Ｅ４〜Ｅ７は、互いに独立して、一般式（Ｅ１）〜（Ｅ３）の基であり、
そしてＭは、請求項１で定義されたものである］
【請求項５】
式（Ｉｍ）〜（Ｉｐ）のうちの一つを有する請求項１に記載の化合物又はそれらの混合物。
【化１８】
2015531001.tif 000259
【化１９】
2015531001.tif 000260
［式中、
Ｒ１３５、Ｒ１３９、Ｒ１４３及びＲ１５０は、互いに独立して、水素、アルキル、シクロアルキル、トリフルオロメチル；アルコキシ、シアノ、カルバモイル、アルコキシカルボニル、ＣＯＯＭ、アミノ；ヒドロキシル、モノシクロアルキル−アミノ；モノアルキル−アミノ；ジ（シクロ）アルキル−アミノ；ジアルキル−アミノ；モノアリール−アミノ；ジアリール−アミノ；モノシクロアルキルモノアリールアミノ；モノアルキルモノアリールアミノ；アルキルチオ；アリールチオであるか；
又は
ヒドロキシ、シクロアルキル、ヘテロアリール、ヘテロシクロアルキル、アリール、アリールオキシ、アルコキシ、アルキルチオ、アリールチオ、ハロゲン、シアノ、ＣＯＯＭ、アルコキシカルボニル、アシルオキシ、カルバモイル、ニトロ、アミノ、アシルアミノ、アリールカルボニルアミノ、アルキルスルホニルアミノ、アリールスルホニルアミノ、ウレイド、アルキルウレイド、及びフェニルウレイドからなる群から選択される１種又は複数の置換基によって置換されたアルキルであり；
Ｒ１３６、Ｒ１４０、Ｒ１４４、及びＲ１５１は、互いに独立して、シアノ、カルバモイル、アルコキシカルボニル、トリフルオロメチル、カルボニルトリフルオロメチル、ハロゲン、メチルスルホニル又は−ＳＯ３Ｍであり；
Ｄ３、Ｄ４、Ｄ５、及びＤ６は、互いに独立して、水素、アルキル、アルケニル、シクロアルキル、トリフルオロメチル、アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ；Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか；
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及びＳＯ３Ｍからなる群から選択される１種又は複数の置換基によって置換されたアルキルであり；
Ｒ１３７、Ｒ１３８、Ｒ１４１、Ｒ１４２、Ｒ１４８、Ｒ１４９、Ｒ１５５、及びＲ１５６は、互いに独立して、水素、又はアルキル、アルコキシ、ハロゲン、シアノ、−ＳＯ３Ｍ、トリフルオロメチル、ニトロ、エステル、ＮＨＣ（Ｏ）Ｒ１５７、ＣＯＮＨ２、Ｓ（Ｏ）２Ｒ１５８又は−ＳＯ２Ｘであり；
Ｒ１５７及びＲ１５８は、互いに独立して、水素、アルキル又はヒドロキシ若しくはハロゲンによって置換されたアルキルであり；
Ｒ１４５、Ｒ１４６、Ｒ１４７、Ｒ１５２、Ｒ１５３、及びＲ１５４は、互いに独立して、水素、アルキル、置換されたアルキル、１個又は２個のヘテロ原子を有するアルキル鎖、アルコキシ、置換されたアルコキシ、ハロゲン、トリフルオロメチル；シクロアルキル；ヘテロシクロアルキル；シアノ；ニトロ；アシルオキシ；アルキルカルボニル、アシルアミノ；アリーロイルアミノ、シンナモイルアミノ、アルキルスルホニルアミノ；アルキルチオ；アルキルスルホニル、アルコキシカルボニル、カルバモイル、スルファモイル、ウレイド、アルキルウレイド、ＳＯ３Ｍ、ＣＯＯＭ；又は、式（２ａ）〜（２ｃ）の基であり；
Ｅ８〜Ｅ１１は、互いに独立して、一般式（Ｅ１）〜（Ｅ３）の基であり；
Ｔ、Ｍ、及びＸは、請求項１において定義されたものと同じである］
【請求項６】
式（Ｉｑ）〜（Ｉｔ）のうちの一つを有する請求項１に記載の化合物又はそれらの混合物。
【化２０】
2015531001.tif 000261
【化２１】
2015531001.tif 000262
［式中、
Ｒ１６１、Ｒ１６８、Ｒ１７５、及びＲ１８５は、互いに独立して、アルキル、シアノ、カルバモイル、アルコキシカルボニル、トリフルオロメチル、カルボニルトリフルオロメチル、ハロゲン、メチルスルホニル、又は−ＳＯ３Ｍであり；
Ｒ１６２、Ｒ１６９、Ｒ１７６、及びＲ１８６は、互いに独立して、ヒドロキシル又はアミノであり；
Ｒ１６３〜Ｒ１６５、Ｒ１７０〜Ｒ１７２、Ｒ１７７〜Ｒ１７９、及びＲ１８７〜Ｒ１８９は、互いに独立して、水素、アルキル、アルケニル、シクロアルキル、トリフルオロメチル、アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ；Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか、
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及び−ＳＯ３Ｍからなる群から選択される１種又は複数の置換基によって置換されたアルキルであるか；
又は、−ＳＯ２Ｘによって置換されたアルキル又はアリールであるが；ここで
Ｘは、ビニル又は基−ＣＨ２ＣＨ２−Ｙ（ここで、Ｙは、アルカリ性条件下で除去可能な基、たとえばＯＳＯ３Ｍである）であるか、又は残基反応性末端基Ｔに結合する自由電子価を有する残基を含み；
Ｒ１６６、Ｒ１６７、Ｒ１７３、Ｒ１７４、Ｒ１８３、Ｒ１８４、Ｒ１９３、及びＲ１９４は、互いに独立して、水素、又はアルキル、アルコキシ、ハロゲン、シアノ、−ＳＯ３Ｍ、トリフルオロメチル、ニトロ、エステル、ＮＨＣ（Ｏ）Ｒ１９５、ＣＯＮＨ２、Ｓ（Ｏ）２Ｒ１９６又は−ＳＯ２Ｘであり；
Ｒ１９５及びＲ１９６は、互いに独立して、水素、アルキル又はヒドロキシ若しくはハロゲンによって置換されたアルキルであり；
Ｒ１８０〜Ｒ１８２及びＲ１９０〜Ｒ１９２は、互いに独立して、水素、アルキル、置換されたアルキル、１個又は２個のヘテロ原子を有するアルキル鎖、アルコキシ、置換されたアルコキシ、ハロゲン、トリフルオロメチル；シクロアルキル；ヘテロシクロアルキル；シアノ；ニトロ；アシルオキシ；アルキルカルボニル、アシルアミノ；アリーロイルアミノ、シンナモイルアミノ、アルキルスルホニルアミノ；アルキルチオ；アルキルスルホニル、アルコキシカルボニル、カルバモイル、スルファモイル、ウレイド、アルキルウレイド、ＳＯ３Ｍ、ＣＯＯＭ；又は、式（２ａ）〜（２ｃ）の基であり；
Ｘは、先の定義と同じであり、
Ｍ及びＴは、請求項１において定義されたものである］
【請求項７】
式（Ｉｕ）〜（Ｉｘ）のうちの一つを有する請求項１に記載の化合物又はそれらの混合物。
【化２２】
2015531001.tif 000263
【化２３】
2015531001.tif 000264
［Ｒ１９９、Ｒ２０６、Ｒ２１３、及びＲ２２３は、互いに独立して、アルキル、シアノ、カルバモイル、アルコキシカルボニル、トリフルオロメチル、カルボニルトリフルオロメチル、ハロゲン、メチルスルホニル、又は−ＳＯ３Ｍであり；
Ｒ２００、Ｒ２０７、Ｒ２１４、及びＲ２２４は、互いに独立して、ヒドロキシル又はアミノであり；
Ｒ２０１〜Ｒ２０３、Ｒ２０８〜Ｒ２１０、Ｒ２１５〜Ｒ２１７、及びＲ２２５〜Ｒ２２７は、互いに独立して、水素、アルキル、アルケニル、シクロアルキル、トリフルオロメチル、アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ；Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか、
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及び−ＳＯ３Ｍからなる群から選択される１種又は複数の置換基によって置換されたアルキルであるか；
又は
−ＳＯ２Ｘによって置換されたアルキル又はアリールであるか、又は残基反応性末端基Ｔに結合する自由電子価を有する残基を含むが；
ここで、Ｘは、ビニル又は基−ＣＨ２ＣＨ２−Ｙ（ここで、Ｙは、アルカリ性条件下で除去可能な基、たとえば、ＯＳＯ３Ｍある）であり；
Ｒ２０４、Ｒ２０５、Ｒ２１１、Ｒ２１２、Ｒ２２１、Ｒ２２２、Ｒ２３１、及びＲ２３２は、互いに独立して、水素、又はアルキル、アルコキシ、ハロゲン、シアノ、−ＳＯ３Ｍ、トリフルオロメチル、ニトロ、エステル、ＮＨＣ（Ｏ）Ｒ２３３、ＣＯＮＨ２、Ｓ（Ｏ）２Ｒ２３４又は−ＳＯ２Ｘであり；
Ｒ２３３及びＲ２３４は、互いに独立して、水素、アルキル又はヒドロキシ若しくはハロゲンによって置換されたアルキルであり；
Ｒ２１８〜Ｒ２２０及びＲ２２８〜Ｒ２３０は、互いに独立して、水素、アルキル、置換されたアルキル、１個又は２個のヘテロ原子を有するアルキル鎖、アルコキシ、置換されたアルコキシ、ハロゲン、トリフルオロメチル；シクロアルキル；ヘテロシクロアルキル；シアノ；ニトロ；アシルオキシ；アルキルカルボニル、アシルアミノ；アリーロイルアミノ、シンナモイルアミノ、アルキルスルホニルアミノ；アルキルチオ；アルキルスルホニル、アルコキシカルボニル、カルバモイル、スルファモイル、ウレイド、アルキルウレイド、ＳＯ３Ｍ、ＣＯＯＭ；又は、式（２ａ）〜（２ｃ）の基であり；
Ｅ１２〜Ｅ１５は、互いに独立して、一般式（Ｅ１）〜（Ｅ３）の基であり；
Ｘは、先の定義と同じであり、
Ｍ及びＴは、請求項１において定義されたものである］
【請求項８】
式（Ｉｙ）〜（Ｉａｂ）のうちの一つを有する請求項１に記載の化合物又はそれらの混合物。
【化２４】
2015531001.tif 000265
【化２５】
2015531001.tif 000266
［式中、
Ｒ２３７、Ｒ２４５、Ｒ２５３及びＲ２６４は、互いに独立して、水素、アルキル、シクロアルキル、トリフルオロメチル；アルコキシ、シアノ、カルバモイル、アルコキシカルボニル、ＣＯＯＭ、アミノ；ヒドロキシル、モノシクロアルキル−アミノ；モノアルキル−アミノ；ジ（シクロ）アルキル−アミノ；ジアルキル−アミノ；モノアリール−アミノ；ジアリール−アミノ；モノシクロアルキルモノアリールアミノ；モノアルキルモノアリールアミノ；アルキルチオ；アリールチオであるか；
又は
ヒドロキシ、シクロアルキル、ヘテロアリール、ヘテロシクロアルキル、アリール、アリールオキシ、アルコキシ、アルキルチオ、アリールチオ、ハロゲン、シアノ、ＣＯＯＭ、アルコキシカルボニル、アシルオキシ、カルバモイル、ニトロ、アミノ、アシルアミノ、アリールカルボニルアミノ、アルキルスルホニルアミノ、アリールスルホニルアミノ、ウレイド、アルキルウレイド、及びフェニルウレイドからなる群から選択される１種又は複数の置換基によって置換されたアルキルであり；
Ｒ２３８、Ｒ２４６、Ｒ２５４、及びＲ２６５は、互いに独立して、シアノ、カルバモイル、アルコキシカルボニル、トリフルオロメチル、カルボニルトリフルオロメチル、ハロゲン、メチルスルホニル又は−ＳＯ３Ｍであり；
Ｒ２３９〜Ｒ２４２、Ｒ２４７〜Ｒ２５０、Ｒ２５５〜Ｒ２５８、及びＲ２６７〜Ｒ２７０は、互いに独立して、水素、アルキル、アルケニル、シクロアルキル、トリフルオロメチル、アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ；Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか、
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及びＳＯ３Ｍからなる群から選択される１種又は複数の置換基によって置換されたアルキルであるか；又は残基反応性末端基Ｔに結合する自由電子価を有する残基を含むアルキルであり；
Ｒ２４３、Ｒ２４４、Ｒ２５１、Ｒ２５２、Ｒ２６２、Ｒ２６３、Ｒ２７４、及びＲ２７５は、互いに独立して、水素、又はアルキル、アルコキシ、ハロゲン、シアノ、−ＳＯ３Ｍ、トリフルオロメチル、ニトロ、エステル、ＮＨＣ（Ｏ）Ｒ２７６、ＣＯＮＨ２、Ｓ（Ｏ）２Ｒ２７７、又は−ＳＯ２Ｘであり；
Ｒ２７６及びＲ２７７は、互いに独立して、水素、アルキル又はヒドロキシ若しくはハロゲンによって置換されたアルキルであり；
Ｒ２５９〜Ｒ２６１及びＲ２７１〜Ｒ２７３は、互いに独立して、水素、アルキル、置換されたアルキル、１個又は２個のヘテロ原子を有するアルキル鎖、アルコキシ、置換されたアルコキシ、ハロゲン、トリフルオロメチル；シクロアルキル；ヘテロシクロアルキル；シアノ；ニトロ；アシルオキシ；アルキルカルボニル、アシルアミノ；アリーロイルアミノ、シンナモイルアミノ、アルキルスルホニルアミノ；アルキルチオ；アルキルスルホニル、アルコキシカルボニル、カルバモイル、スルファモイル、ウレイド、アルキルウレイド、ＳＯ３Ｍ、ＣＯＯＭ；又は、式（２ａ）〜（２ｃ）の基であり、
そして、Ｘ、Ｍ及びＴは、請求項１で定義されたものである］
【請求項９】
式（Ｉａｃ）〜（Ｉａｆ）のうちの一つを有する請求項１に記載の化合物又はそれらの混合物。
【化２６】
2015531001.tif 000267
【化２７】
2015531001.tif 000268
［式中、
Ｒ２８０、Ｒ２８８、Ｒ２９６及びＲ３０７は、互いに独立して、水素、アルキル、シクロアルキル、トリフルオロメチル；アルコキシ、シアノ、カルバモイル、アルコキシカルボニル、ＣＯＯＭ、アミノ；ヒドロキシル、モノシクロアルキル−アミノ；モノアルキル−アミノ；ジ（シクロ）アルキル−アミノ；ジアルキル−アミノ；モノアリール−アミノ；ジアリール−アミノ；モノシクロアルキルモノアリールアミノ；モノアルキルモノアリールアミノ；アルキルチオ；アリールチオであるか；
又は
ヒドロキシ、シクロアルキル、ヘテロアリール、ヘテロシクロアルキル、アリール、アリールオキシ、アルコキシ、アルキルチオ、アリールチオ、ハロゲン、シアノ、ＣＯＯＭ、アルコキシカルボニル、アシルオキシ、カルバモイル、ニトロ、アミノ、アシルアミノ、アリールカルボニルアミノ、アルキルスルホニルアミノ、アリールスルホニルアミノ、ウレイド、アルキルウレイド、及びフェニルウレイドからなる群から選択される１種又は複数の置換基によって置換されたアルキルであり；
Ｒ２８１、Ｒ２８９、Ｒ２９７、及びＲ３０８は、シアノ、カルバモイル、アルコキシカルボニル、トリフルオロメチル、カルボニルトリフルオロメチル、ハロゲン、メチルスルホニル、又は−ＳＯ３Ｍであり；
Ｒ２８２〜Ｒ２８５、Ｒ２９０〜Ｒ２９３、Ｒ２９８〜Ｒ３０１、及びＲ３０９〜Ｒ３１２は、互いに独立して、水素、アルキル、アルケニル、シクロアルキル、トリフルオロメチル、アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ；Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか、
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及びＳＯ３Ｍからなる群から選択される１種又は複数の置換基によって置換されたアルキルであるか；又は残基反応性末端基Ｔに結合する自由電子価を有する残基を含むアルキルである；
Ｒ２８６、Ｒ２８７、Ｒ２９４、Ｒ２９５、Ｒ３０５、Ｒ３０６、Ｒ３１６、及びＲ３１７は、互いに独立して、水素、又はアルキル、アルコキシ、ハロゲン、シアノ、−ＳＯ３Ｍ、トリフルオロメチル、ニトロ、エステル、ＮＨＣ（Ｏ）Ｒ３１８、ＣＯＮＨ２、Ｓ（Ｏ）２Ｒ３１９、又は−ＳＯ２Ｘであり；
Ｒ３１８及びＲ３１９は、互いに独立して、水素、アルキル又はヒドロキシ若しくはハロゲンによって置換されたアルキルであり；
Ｒ３０２〜Ｒ３０４及びＲ３１３〜Ｒ３１５は、互いに独立して、水素、アルキル、置換されたアルキル、１個又は２個のヘテロ原子を有するアルキル鎖、アルコキシ、置換されたアルコキシ、ハロゲン、トリフルオロメチル；シクロアルキル；ヘテロシクロアルキル；シアノ；ニトロ；アシルオキシ；アルキルカルボニル、アシルアミノ；アリーロイルアミノ、シンナモイルアミノ、アルキルスルホニルアミノ；アルキルチオ；アルキルスルホニル、アルコキシカルボニル、カルバモイル、スルファモイル、ウレイド、アルキルウレイド、ＳＯ３Ｍ、ＣＯＯＭ；又は、式（２ａ）〜（２ｃ）の基であり；
Ｅ１６〜Ｅ１９は、互いに独立して、一般式（Ｅ１）〜（Ｅ３）の基であり；
Ｔ、Ｍ、及びＸは、請求項１において定義されたのと同じ意味を有している］
【請求項１０】
請求項１〜９のいずれか１項に記載の２種以上の化合物からなる、化学的組成物。
【請求項１１】
請求項１〜９のいずれか１項に記載の１種又は複数の化合物を含む、化学的組成物。
【請求項１２】
請求項１〜９のいずれか１項に記載の１種又は複数の化合物を含む、染色のための水溶液。
【請求項１３】
請求項１の式（Ｉ）で示される化合物を製造するための方法であって、
ａ）式（ＩＶ）の化合物をジアゾ化させるステップ、
ｂ）ステップａ）において得られた前記ジアゾニウム塩を、式Ｋの化合物と反応させて、式（Ｖ）の中間体を得るステップ、
【化２８】
2015531001.tif 000269
ｃ）成分（Ｂ−ＮＨ２）をジアゾ化させるステップ、
ｃｘ１）場合によっては、ステップｃ）の前記ジアゾ化された反応生成物を化合物（Ａ−ＮＨ２）とカップリングさせるステップ、及び
ｃｘ２）ステップｃｘ１）の前記カップリング反応生成物をジアゾ化させるステップ、
ｄ）ステップｃ）の前記ジアゾ化された反応生成物を前記中間体Ｖとカップリングさせて、ステップｃ）の場合においては、一般式（ＶＩ）のビスアゾ−反応生成物を得るか、
【化２９】
2015531001.tif 000270
又は、前記ジアゾ化されたｃｘ２）のカップリング反応生成物を、中間体Ｖとカップリングさせて、一般式（ＶＩＩＩ）のトリスアゾ−反応生成物を得るステップ、
【化３０】
2015531001.tif 000271
を含む方法。
【請求項１４】
請求項１〜９のいずれか１項に記載の化合物、請求項１０又は１１に記載の化学的組成物、又は請求項１２に記載の水溶液の使用であって、植物繊維、種子繊維、綿、有機綿、カポック、ヤシ殻からのコイア；靱皮繊維、亜麻、麻、ジュート、ケナフ、ラミー、籐；葉繊維、サイザル麻、ヘネケ麻、バナナ；茎繊維、竹；動物由来の繊維、羊毛、オーガニックウール、絹、カシミヤウール、アルパカ繊維、モヘア、アンゴラ繊維、さらには毛皮及び皮革材料；人造繊維、再生繊維、及びリサイクル繊維、セルロース系繊維；紙繊維、セルロース系再生繊維、ビスコースレーヨン繊維、アセテート繊維及びトリアセテート繊維及びＬｙｏｃｅｌｌ繊維；並びに合成繊維材料、ナイロン材料、ナイロン−６、ナイロン−６．６及びアラミド繊維、からなる群から選択される繊維、さらにはそのような繊維のブレンド物を染色するための、使用。
【請求項１５】
繊維及びブレンド物であって、請求項１〜９のいずれか１項に記載の１種又は複数の化合物を、化学的及び／又は物理的に結合された形で含む、植物繊維、種子繊維、綿、有機綿、カポック、ヤシ殻からのコイア；靱皮繊維、亜麻、麻、ジュート、ケナフ、ラミー、籐；葉繊維、サイザル麻、ヘネケ麻、バナナ；茎繊維、竹；動物由来の繊維、羊毛、オーガニックウール、絹、カシミヤウール、アルパカ繊維、モヘア、アンゴラ繊維、さらには毛皮及び皮革材料；人造繊維、再生繊維、及びリサイクル繊維、セルロース系繊維；紙繊維、セルロース系再生繊維、ビスコースレーヨン繊維、アセテート繊維及びトリアセテート繊維及びＬｙｏｃｅｌｌ繊維；並びに合成繊維材料、ナイロン材料、ナイロン−６、ナイロン−６．６及びアラミド繊維、からなる群から選択されるそのような繊維を含む、繊維及びブレンド物。
【発明の詳細な説明】
【技術分野】
【０００１】
本発明は、ヒドロキシル含有、アミノ含有及びカルボキサミド含有材料を染色及び捺染するための反応性染料の技術分野に関する。
【背景技術】
【０００２】
少なくとも１種の反応性末端基を含むビスアゾ及びポリアゾ残基をベースとする反応性染料は従来技術から公知であり、各種の用途において着色剤として使用することができる（たとえば、以下の特許を参照されたい：特許文献１、特許文献２、特許文献３、特許文献４、特許文献５、特許文献６、特許文献７、特許文献８、特許文献９、特許文献１０、特許文献１１、特許文献１２）。
【先行技術文献】
【特許文献】
【０００３】
【特許文献１】米国特許第６，３２３，３２７号明細書
【特許文献２】国際公開第９９／０６４５２０号パンフレット
【特許文献３】国際公開第９７／０２７２４９号パンフレット
【特許文献４】米国特許第５，３７８，８１７号明細書
【特許文献５】米国特許第５，５９１，８３４号明細書
【特許文献６】米国特許第５，３４２，９２７号明細書
【特許文献７】国際公開第９７／０２５３７７号パンフレット
【特許文献８】米国特許第５，４２０，２５７号明細書
【特許文献９】特開２００２−２２６７２４号公報
【特許文献１０】国際公開第０３／０４０２３９号パンフレット
【特許文献１１】国際公開第０３／０３３５９９号パンフレット
【特許文献１２】米国特許出願公開第２００３０１７２４７６号明細書
【発明の概要】
【発明が解決しようとする課題】
【０００４】
ヒドロキシル含有、アミノ含有、及び／又はカルボキサミド含有材料の染色及び捺染の文脈においては、公知の染料は、固着性が低い、湿潤堅牢性及び耐光堅牢性のレベルが中程度であるなど、多くの技術的難点を有している。したがって、優れた技術的性能を有する新規な反応性染料の開発が必要とされている。
【課題を解決するための手段】
【０００５】
驚くべきことには、以下に記載する式（Ｉ）の染料が、公知の染料よりも高度に有利な性質を示すということが今や見出された。それらは、優れた湿潤堅牢性及び耐光堅牢性、優れたエコロジー的特性を有し、さらにはダークバイオレット、ダークブラウン、ダークネイビー及びブラックの色調も含めて、広い範囲の、よりダークな色調範囲を達成することが可能である。
【０００６】
本発明は、式（Ｉ）の染料及びそれらの混合物に関する。
【化１】
2015531001.tif 000003
式中、
ｎは、整数であって、０又は１であり；
Ｋは、以下において説明する、複素環式のカップリング成分の基であり；
Ａは、以下において説明する、中間成分の基であり；
Ｂは、以下において説明する、ジアゾ成分の基であり；
Ｍは、水素、ナトリウム、カリウム、リチウム若しくはアンモニウム、又はモノ−、ジ−、トリ−若しくはテトラ−（Ｃ１〜Ｃ４）−アルキルアンモニウム、アルカリ土類金属の１当量、又は一価の有機カチオンであり；
Ｋは、次の一般式（Ｋ１）〜（Ｋ３）のカップリング成分であり；
【化２】
2015531001.tif 000004
式中、
Ｒ１及びＲ４は、互いに独立して、水素、アルキル、シクロアルキル、トリフルオロメチル；アルコキシ、シアノ、カルバモイル、アルコキシカルボニル、ＣＯＯＭ、アミノ；ヒドロキシル、モノシクロアルキル−アミノ；モノアルキル−アミノ；ジ（シクロ）アルキル−アミノ；ジアルキル−アミノ；モノアリール−アミノ；ジアリール−アミノ；モノシクロアルキルモノアリールアミノ；モノアルキルモノアリールアミノ；アルキルチオ；アリールチオであるか；
又は
ヒドロキシ、シクロアルキル、ヘテロアリール、ヘテロシクロアルキル、アリール、アリールオキシ、アルコキシ、アルキルチオ、アリールチオ、ハロゲン、シアノ、ＣＯＯＭ、アルコキシカルボニル、アシルオキシ、カルバモイル、ニトロ、アミノ、アシルアミノ、アリールカルボニルアミノ、アルキルスルホニルアミノ、アリールスルホニルアミノ、ウレイド、アルキルウレイド、及びフェニルウレイドからなる群から選択される１種又は複数の置換基によって置換されたアルキルであり；
Ｒ２、Ｒ５、及びＲ１１は、互いに独立して、シアノ、カルバモイル、アルコキシカルボニル、トリフルオロメチル、カルボニルトリフルオロメチル、ハロゲン、スルホメチル、又は−ＳＯ３Ｍであり；
Ｒ３、Ｒ６〜Ｒ９及びＲ１２は、互いに独立して、水素、アルキル、アルケニル、シクロアルキル、トリフルオロメチル、アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ；Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか、
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及びＳＯ３Ｍからなる群から選択される１種又は複数の置換基によって置換されたアルキルであるか；
又は、−ＳＯ２Ｘによって置換されたアルキル又はアリールであるが；ここで
Ｘは、ビニル又は基−ＣＨ２ＣＨ２−Ｙ（ここで、Ｙは、アルカリ性条件下で除去可能な基、たとえば、ＯＳＯ３Ｍ、ＳＳＯ３Ｍ、ＯＣＯＣＨ３、ＯＰＯ３Ｍ又はハロゲンである）であり；そして
Ｒ１０は、ヒドロキシル基又はアミノ基であり；
ここで、一般式Ｋ２においては、結合点及びＲ５が、置換基Ｒ６及びＲ７を担持するアミノ残基に対してオルト位又はパラ位に位置することが可能であるが、このことはすなわち、結合点が置換基Ｒ６及びＲ７を担持するアミノ残基に対してオルト位に位置している場合には、Ｒ５がそれに対してパラ位に位置し、その逆もまた同様であるということを意味しているか、
又は
Ｋは、次の一般式（Ｋ４）〜（Ｋ６）のカップリング成分であり；
【化３】
2015531001.tif 000005
ここで、
Ｔは、一般式（Ｔ１）〜（Ｔ３）の反応性末端基であり；
【化４】
2015531001.tif 000006
式中、
Ｒ２４及びＲ２５は、互いに独立して、ハロゲン又は次式の基であり、
【化５】
2015531001.tif 000007
Ｒ２６、Ｒ２７、Ｒ２８、Ｒ２９、及びＲ３０は、互いに独立して、ハロゲンであるか；
又は、Ｒ２４〜Ｒ３０のそれぞれは、互いに独立して、一般式（１ａ）〜（１ｃ）からなる群から選択される一種によって置換されているが；
【化６】
2015531001.tif 000008
式中、
Ｒ３１、Ｒ３２、Ｒ３３９、及びＲ３４０は、互いに独立して、水素、アルキル、フェニル又はアルキル、アルコキシ、ハロゲン、及び−ＳＯ３Ｍからなる群から選択される一種によって置換されているフェニル；アルケニル、シクロアルキル、トリフルオロメチル、アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ，Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか、
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及びＳＯ３Ｍからなる群から選択される１種又は複数の置換基によって置換されたアルキルであり；
Ｒ３３、Ｒ３４及びＲ３３８のそれぞれは、互いに独立して、水素、アルキル、アルコキシル、ハロゲン、トリフルオロメチル、シアノ、ニトロ、エステル、カルバモイル、ＳＯ３Ｍ、又は−ＳＯ２Ｘであり；
ここで、Ｍは、水素、ナトリウム、カリウム、リチウム、又はアンモニウムであり；
Ｘは、ビニル又は基−ＣＨ２ＣＨ２−Ｙ（ここで、Ｙは、アルカリ性条件下で除去可能な基、たとえば、ＯＳＯ３Ｍ、ＳＳＯ３Ｍ、ＯＣＯＣＨ３、ＯＰＯ３Ｍ又はハロゲンである）であり；
ｐは、１〜５の整数であり；
Ｒ１３及びＲ１５は、互いに独立して、水素、アルキル、シクロアルキル、トリフルオロメチル；アルコキシ、シアノ、カルバモイル、アルコキシカルボニル、ＣＯＯＭ、アミノ；ヒドロキシル、モノシクロアルキル−アミノ；モノアルキル−アミノ；ジ（シクロ）アルキル−アミノ；ジアルキル−アミノ；モノアリール−アミノ；ジアリール−アミノ；モノシクロアルキルモノアリールアミノ；モノアルキルモノアリールアミノ；アルキルチオ；アリールチオであるか；
又は
ヒドロキシ、シクロアルキル、ヘテロアリール、ヘテロシクロアルキル、アリール、アリールオキシ、アルコキシ、アルキルチオ、アリールチオ、ハロゲン、シアノ、ＣＯＯＭ、アルコキシカルボニル、アシルオキシ、カルバモイル、ニトロ、アミノ、アシルアミノ、アリールカルボニルアミノ、アルキルスルホニルアミノ、アリールスルホニルアミノ、ウレイド、アルキルウレイド、及びフェニルウレイドからなる群から選択される１種又は複数の置換基によって置換されたアルキルであり；
Ｒ１２、Ｒ１６、及びＲ２２は、互いに独立して、
シアノ、カルバモイル、アルコキシカルボニル、トリフルオロメチル、カルボニルトリフルオロメチル、ハロゲン、メチルスルホニル、又は−ＳＯ３Ｍであり；
Ｒ１４、Ｒ１７〜Ｒ２０、及びＲ２３は、互いに独立して、
水素、アルキル、アルケニル、シクロアルキル、トリフルオロメチル、カルボニルトリフルオロメチル、ハロゲン、メチルスルホニル、若しくは−ＳＯ３Ｍ；アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ；Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか、
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及びＳＯ３Ｍからなる群から選択される１種又は複数の置換基によって置換されたアルキルであり；
Ｒ２１は、ヒドロキシル基又はアミノ基であり；
ここで、一般式Ｋ５においては、結合点及びＲ１６が、置換基Ｒ１７及びＲ１８を担持するアミノ残基に対してオルト位又はパラ位に位置することが可能であるが、このことはすなわち、結合点が置換基Ｒ１７及びＲ１８を担持するアミノ残基に対してオルト位に位置している場合には、Ｒ１６がそれに対してパラ位に位置し、その逆もまた同様であるということを意味しており、
Ａは、フェニレン又はナフチレンの中間成分であって、一般式（Ａ１）〜（Ａ２）を有しており；
【化７】
2015531001.tif 000009
式中、
Ｒ３４１〜Ｒ３４８は、互いに独立して、水素、アルキル、１個又は２個のヘテロ原子を有するアルキル鎖、アルコキシ、ハロゲン、トリフルオロメチル；シクロアルキル；ヘテロシクロアルキル；シアノ；ニトロ；アシルオキシ；アルキルカルボニル、アシルアミノ；アリーロイルアミノ、シンナモイルアミノ、アルキルスルホニルアミノ；アルキルチオ；アルキルスルホニル、アルコキシカルボニル、カルバモイル、スルファモイル、ウレイド、アルキルウレイド、ＳＯ３Ｍ、ＣＯＯＭであるか；
又は
ヒドロキシ、アリール、シクロアルキル、アルコキシ、チオアルコキシ、アミノ、Ｎ−モノアルキル−アミノ、Ｎ，Ｎ−ジアルキルアミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及びＳＯ３Ｍからなる群から選択される１種又は複数の置換基によって置換されたアルキルであるか；
又は
１個又は複数のヘテロ原子、たとえば酸素又は硫黄を有するアルキルであるか、
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及びＳＯ３Ｍからなる群から選択される１種又は複数の置換基によって置換されたアルキルであるか；
又は
式（２ａ）〜（２ｃ）の基であり、
【化８】
2015531001.tif 000010
ここで、Ｒ３４９及びＲ３５０は、互いに独立して、水素、アルキル、ＳＯ３Ｍによって置換されたアルキル、１個又は２個のヘテロ原子を有するアルキル鎖、又はＴ（Ｔは上と同じ意味を有している）であり；
Ｕは、−Ｏ−、−Ｓ−、又は−Ｎ（Ｒ３２９）−であり；
Ｒ３２３、Ｒ３２７、及びＲ３２９は、互いに独立して、水素、アルキル、ＳＯ３Ｍによって置換されたアルキル、１個又は２個のヘテロ原子を有するアルキル鎖であり；
Ｒ３２４、Ｒ３２５、Ｒ３２６、及びＲ３２８は、互いに独立して、水素、アルキル、又は１個又は２個のヘテロ原子を有するアルキル鎖であり；
ｒは、０〜６の整数であり；
ｓは、１〜６の整数であり；
＊＊は、Ａ１及びＡ２との結合点を表し；
＊＊＊は、Ｔとの結合点を表し；
Ｂは、ジアゾ成分であって、一般式（Ｂ１）又は（Ｂ２）のいずれかを有しており；
【化９】
2015531001.tif 000011
式中、
Ｒ３５〜Ｒ４０及びＲ３５１は、互いに独立して、水素、又はアルキル、アルコキシ、ハロゲン、シアノ、−ＳＯ３Ｍ、トリフルオロメチル、ニトロ、エステル、ＮＨＣ（Ｏ）Ｒ４１、ＣＯＮＨ２、Ｓ（Ｏ）２Ｒ４２、−ＳＯ２Ｘであるか、又はＴ若しくは一般式（Ｅ１）〜（Ｅ３）によりアミノ置換されており；
【化１０】
2015531001.tif 000012
式中、
Ｖは、−Ｏ−、−Ｓ−、又は−Ｎ（Ｒ３５２）−であり；
Ｒ４３、Ｒ４７、及びＲ３５２は、互いに独立して、水素、アルキル、ＳＯ３Ｍによって置換されたアルキル、１個又は２個のヘテロ原子を有するアルキル鎖であり；
Ｒ４４、Ｒ４５、Ｒ４６、及びＲ４８は、互いに独立して、水素、アルキル、又は１個又は２個のヘテロ原子を有するアルキル鎖であり；
Ｒ３３０、Ｒ３３１、Ｒ３３２、及びＲ３３３は、互いに独立して、水素、又はアルキル、アルコキシ、ハロゲン、シアノ、−ＳＯ３Ｍ、トリフルオロメチル、ニトロ、エステル、ＮＨＣ（Ｏ）Ｒ３３４、ＣＯＮＨ２、Ｓ（Ｏ）２Ｒ３３５、又は式（３ａ）の基であり；
【化１１】
2015531001.tif 000013
Ｒ３３６及びＲ３３７は、互いに独立して、水素、アルキル、アルケニル、シクロアルキル、トリフルオロメチル、アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ；Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか、
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及びＳＯ３Ｍからなる群から選択される１種又は複数の置換基によって置換されたアルキルであるか；残基反応性末端基Ｔに結合する自由電子価を有する残基を含むアルキルである；
Ｒ４１、Ｒ４２、Ｒ３３４、及びＲ３３５は、互いに独立して、水素、アルキル又はヒドロキシ若しくはハロゲンによって置換されたアルキルであり；
ｃは、０〜６の整数であり、
ｄは、１〜６の整数であり、
＊＊＊＊は、Ｂ１とＢ２との結合点を表し、
＊＊＊＊＊は、Ｔとの結合点を表し、
＊＊＊＊＊＊はＥ３との結合点を表し、
Ｔ及びＸは、先に定義されたのと同じであるが；
ただし、一般的には、一般式（Ｉ）の染料には少なくとも１種の反応性末端基が含まれている。
【発明を実施するための形態】
【０００７】
本発明は、式（Ｉ）の染料のすべてのタイプの互変異性体及び幾何異性体に関連する。
【０００８】
本出願に現れるアルキル基は、直鎖状であっても分岐状であってもよく、たとえばメチル、エチル、ｎ−プロピル、イソプロピル、ｎ−ブチル、ｓｅｃ−ブチル、ｔｅｒｔ−ブチル、イソブチル、ｎ−ペンチル、イソペンチル、メチルブチル、及びｎ−ヘキシルである。同じ論理がアルコキシ基にもあてはまり、それらはたとえばメトキシ及びエトキシである。
【０００９】
シクロアルキル基は、シクロペンチル及びシクロヘキシルであるのが好ましい。「シクロアルキル」という用語には、本出願の目的においては、置換シクロアルキル基及び同様に不飽和シクロアルキル基が含まれる。このタイプの好ましい基は、シクロペンテニルである。
【００１０】
アルケニル基は、直鎖状であってもあるいは分岐状であってもよく、たとえばビニル及びアリルである。「アルケニル」という用語には、本出願の目的においては、同様にアルキニル基、たとえばエチニル及びプロパルギルが含まれる。
【００１１】
ヘテロシクロアルキル基は、好ましくはピロリジン、ピペリジン、モルホリン、又はピペラジン、テトラヒドロフラン、イミダゾール、トリアゾールである。「ヘテロシクロアルキル」という用語には、非置換の形及び置換された形の上述の基が含まれる。
【００１２】
アリールは、具体的には、フェニル、又はナフチルである。「フェニル」及び「ナフチル」という用語には、非置換及び置換されたフェニル及びナフチルが含まれる。
【００１３】
ハロゲンは、好ましくはフッ素、塩素又は臭素である。
【００１４】
本発明の好ましい実施態様は、式（Ｉａ）〜（Ｉｆ）の染料及びそれらの混合物である；
【化１２】
2015531001.tif 000014
【化１３】
2015531001.tif 000015
【化１４】
2015531001.tif 000016
式中、
Ｒ４９、Ｒ５８、Ｒ６６、Ｒ７４、Ｒ７８、及びＲ８５は、互いに独立して、水素、アルキル、シクロアルキル、トリフルオロメチル；アルコキシ、シアノ、カルバモイル、アルコキシカルボニル、ＣＯＯＭ、アミノ；ヒドロキシル、モノシクロアルキル−アミノ；モノアルキル−アミノ；ジ（シクロ）アルキル−アミノ；ジアルキル−アミノ；モノアリール−アミノ；ジアリール−アミノ；モノシクロアルキルモノアリールアミノ；モノアルキルモノアリールアミノ；アルキルチオ；アリールチオであるか；
又は
ヒドロキシ、シクロアルキル、ヘテロアリール、ヘテロシクロアルキル、アリール、アリールオキシ、アルコキシ、アルキルチオ、アリールチオ、ハロゲン、シアノ、ＣＯＯＭ、アルコキシカルボニル、アシルオキシ、カルバモイル、ニトロ、アミノ、アシルアミノ、アリールカルボニルアミノ、アルキルスルホニルアミノ、アリールスルホニルアミノ、ウレイド、アルキルウレイド、及びフェニルウレイドからなる群から選択される１種又は複数の置換基によって置換されたアルキルであり；
Ｒ５０、Ｒ５４、Ｒ５９、Ｒ６７、Ｒ７５、及びＲ７９は、互いに独立して、シアノ、カルバモイル、アルコキシカルボニル、トリフルオロメチル、カルボニルトリフルオロメチル、ハロゲン、メチルスルホニル、又は−ＳＯ３Ｍであり；
Ｒ５１、Ｒ５５、Ｒ６０、及びＲ６８は、互いに独立して、水素、アルキル、アルケニル、シクロアルキル、トリフルオロメチル、アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ；Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか、
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及びＳＯ３Ｍからなる群から選択される１種又は複数の置換基によって置換されたアルキル；又は、１個又は複数のヘテロ原子たとえば酸素又は硫黄を有するアルキルであり；
Ｒ５２、Ｒ５３、Ｒ５６、Ｒ５７、Ｒ６４、Ｒ６５、Ｒ７２、Ｒ７３、Ｒ７６、Ｒ７７、Ｒ８３、及びＲ８４は、互いに独立して、水素、又はアルキル、アルコキシ、ハロゲン、シアノ、−ＳＯ３Ｍ、トリフルオロメチル、ニトロ、エステル、ＮＨＣ（Ｏ）Ｒ８６、ＣＯＮＨ２、Ｓ（Ｏ）２Ｒ８７、又は−ＳＯ２Ｘであり；
Ｒ８６及びＲ８７は、互いに独立して、水素、アルキル又はヒドロキシ若しくはハロゲンによって置換されたアルキルであり；
Ｒ６１〜Ｒ６３、Ｒ６９〜Ｒ７１、Ｒ８０〜Ｒ８２は、互いに独立して、水素、アルキル、置換されたアルキル、１個又は２個のヘテロ原子を有するアルキル鎖、アルコキシ、置換されたアルコキシ、ハロゲン、トリフルオロメチル；シクロアルキル；ヘテロシクロアルキル；シアノ；ニトロ；アシルオキシ；アルキルカルボニル、アシルアミノ；アリーロイルアミノ、シンナモイルアミノ、アルキルスルホニルアミノ；アルキルチオ；アルキルスルホニル、アルコキシカルボニル、カルバモイル、スルファモイル、ウレイド、アルキルウレイド、ＳＯ３Ｍ、ＣＯＯＭ；又は、先に定義された式（２ａ）〜（２ｃ）の基である。
【００１５】
一般式（Ｉａ）〜（Ｉｆ）の特に好ましい染料においては、
Ｒ４９、Ｒ８５、Ｒ５８、Ｒ６６、Ｒ７４、及びＲ７８は、互いに独立して、水素、又は（Ｃ１〜Ｃ４）アルキル又はアリールであり；
Ｒ５０、Ｒ５４、Ｒ５９、Ｒ６７、Ｒ７５、及びＲ７９は、互いに独立して、シアノ、カルバミド、アルコキシカルボニル、カルボニル、スルホメチル、−ＳＯ３Ｍ、又は−ＣＯＯＭであり；
Ｒ５１、Ｒ５５、Ｒ６０、及びＲ６８は、互いに独立して、アルキル又はアリール；アルキル、アルコキシ、ハロゲン又は−ＳＯ３Ｍから選択される１種又は複数の置換基によって置換されたアリールであり；
Ｒ６１〜Ｒ６３、Ｒ６９〜Ｒ７１、Ｒ８０〜Ｒ８２は、互いに独立して、水素、（Ｃ１〜Ｃ４）アルキル、（Ｃ１〜Ｃ４）アルコキシル、ヒドロキシル、カルバミド、ハロゲン、又は−ＳＯ３Ｍであるか、又は先に定義された式（２ａ）〜（２ｃ）の基を含み；
Ｒ８６及びＲ８７は、互いに独立して、水素、アルキル又はヒドロキシルによって置換されたアルキルであり；
Ｔ及びＸは、先に定義されたのと同じである。
【００１６】
本発明のさらに好ましい実施態様は、式（Ｉｇ）及び（Ｉｈ）の染料、及びそれらの混合物である；
【化１５】
2015531001.tif 000017
式中、
Ｒ９０及びＲ９４は、互いに独立して、水素、アルキル、シクロアルキル、トリフルオロメチル；アルコキシ、シアノ、カルバモイル、アルコキシカルボニル、ＣＯＯＭ、アミノ；ヒドロキシル、モノシクロアルキル−アミノ；モノアルキル−アミノ；ジ（シクロ）アルキル−アミノ；ジアルキル−アミノ；モノアリール−アミノ；ジアリール−アミノ；モノシクロアルキルモノアリールアミノ；モノアルキルモノアリールアミノ；アルキルチオ；アリールチオであるか；
又は
ヒドロキシ、シクロアルキル、ヘテロアリール、ヘテロシクロアルキル、アリール、アリールオキシ、アルコキシ、アルキルチオ、アリールチオ、ハロゲン、シアノ、ＣＯＯＭ、アルコキシカルボニル、アシルオキシ、カルバモイル、ニトロ、アミノ、アシルアミノ、アリールカルボニルアミノ、アルキルスルホニルアミノ、アリールスルホニルアミノ、ウレイド、アルキルウレイド、及びフェニルウレイドからなる群から選択される１種又は複数の置換基によって置換されたアルキルであり；
Ｒ９１及びＲ９５は、互いに独立して、シアノ、カルバモイル、アルコキシカルボニル、トリフルオロメチル、カルボニルトリフルオロメチル、ハロゲン、メチルスルホニル、又は−ＳＯ３Ｍであり；
Ｄ１及びＤ２は、互いに独立して、水素、アルキル、アルケニル、シクロアルキル、トリフルオロメチル、アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ；Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか、
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及びＳＯ３Ｍからなる群から選択される１種又は複数の置換基によって置換されたアルキルであり；
Ｒ９２、Ｒ９３、Ｒ９９、及びＲ１００は、互いに独立して、水素、又はアルキル、アルコキシ、ハロゲン、シアノ、−ＳＯ３Ｍ、トリフルオロメチル、ニトロ、エステル、ＮＨＣ（Ｏ）Ｒ１０１、ＣＯＮＨ２、Ｓ（Ｏ）２Ｒ１０２又は−ＳＯ２Ｘであり；
Ｒ１０１及びＲ１０２は、互いに独立して、水素、アルキル又はヒドロキシ若しくはハロゲンによって置換されたアルキルであり；
Ｒ９６〜Ｒ９８は、互いに独立して、水素、アルキル、置換されたアルキル、１個又は２個のヘテロ原子を有するアルキル鎖、アルコキシ、置換されたアルコキシ、ハロゲン、トリフルオロメチル；シクロアルキル；ヘテロシクロアルキル；シアノ；ニトロ；アシルオキシ；アルキルカルボニル、アシルアミノ；アリーロイルアミノ、シンナモイルアミノ、アルキルスルホニルアミノ；アルキルチオ；アルキルスルホニル、アルコキシカルボニル、カルバモイル、スルファモイル、ウレイド、アルキルウレイド、ＳＯ３Ｍ、ＣＯＯＭ；又は、先に定義された式（２ａ）〜（２ｃ）の基であるが；
ただし、Ｄ１及びＤ２は、残基反応性末端基Ｔに結合する自由電子価を有する残基を含み；
Ｔは、先の定義と同じである。
【００１７】
式（Ｉｇ）及び（Ｉｈ）の特に好ましい染料においては、
Ｒ９０及びＲ９４は、互いに独立して、水素、又は（Ｃ１〜Ｃ４）−アルキル又はアリールであり；
Ｒ９１及びＲ９５は、互いに独立して、シアノ、カルバミド、アルコキシカルボニル、カルボニル、スルホメチル、−ＳＯ３Ｍ又は−ＣＯＯＭであり；
Ｄ１及びＤ２は、アルキル又はアリール；アルキル、アルコキシ、ハロゲン又は−ＳＯ３Ｍ、アミノ、Ｎ−アルキルアミノから選択される１種又は複数の置換基によって置換されたアルキル又はアリールであり；
Ｒ９６〜Ｒ９８は、互いに独立して、水素、（Ｃ１〜Ｃ４）−アルキル、（Ｃ１〜Ｃ４）アルコキシル、ヒドロキシル、カルバミド、ハロゲン、又は−ＳＯ３Ｍであるか、又は先に定義された式（２ａ）〜（２ｃ）の基を含み；
Ｒ１０１及びＲ１０２は、互いに独立して、水素、アルキル又はヒドロキシルによって置換されたアルキルであり；
Ｔ及びＸは、先に定義されたのと同じである。
【００１８】
本発明のさらに好ましい実施態様は、式（Ｉｉ）〜（Ｉｌ）の染料、及びそれらの混合物である；
【化１６】
2015531001.tif 000018
【化１７】
2015531001.tif 000019
式中、
Ｒ１０５、Ｒ１１０、Ｒ１１５及びＲ１２３は、互いに独立して、水素、アルキル、シクロアルキル、トリフルオロメチル；アルコキシ、シアノ、カルバモイル、アルコキシカルボニル、ＣＯＯＭ、アミノ；ヒドロキシル、モノシクロアルキル−アミノ；モノアルキル−アミノ；ジ（シクロ）アルキル−アミノ；ジアルキル−アミノ；モノアリール−アミノ；ジアリール−アミノ；モノシクロアルキルモノアリールアミノ；モノアルキルモノアリールアミノ；アルキルチオ；アリールチオであるか；
又は
ヒドロキシ、シクロアルキル、ヘテロアリール、ヘテロシクロアルキル、アリール、アリールオキシ、アルコキシ、アルキルチオ、アリールチオ、ハロゲン、シアノ、ＣＯＯＭ、アルコキシカルボニル、アシルオキシ、カルバモイル、ニトロ、アミノ、アシルアミノ、アリールカルボニルアミノ、アルキルスルホニルアミノ、アリールスルホニルアミノ、ウレイド、アルキルウレイド、及びフェニルウレイドからなる群から選択される１種又は複数の置換基によって置換されたアルキルであり；
Ｒ１０６、Ｒ１１１、Ｒ１１６、及びＲ１２４は、シアノ、カルバモイル、アルコキシカルボニル、トリフルオロメチル、カルボニルトリフルオロメチル、ハロゲン、メチルスルホニル、又は−ＳＯ３Ｍであり；
Ｒ１０７、Ｒ１１２、Ｒ１１７、及びＲ１２５は、水素、アルキル、アルケニル、シクロアルキル、トリフルオロメチル、アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ；Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか、
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及び−ＳＯ３Ｍからなる群から選択される１種又は複数の置換基によって置換されたアルキルであり；
Ｒ１０８、Ｒ１０９、Ｒ１１３、Ｒ１１４、Ｒ１２１、Ｒ１２２、Ｒ１２９、及びＲ１３０は、互いに独立して、水素、又はアルキル、アルコキシ、ハロゲン、シアノ、−ＳＯ３Ｍ、トリフルオロメチル、ニトロ、エステル、ＮＨＣ（Ｏ）Ｒ１３１、ＣＯＮＨ２、Ｓ（Ｏ）２Ｒ１３２、又は−ＳＯ２Ｘであり；
Ｒ１３１及びＲ１３２は、互いに独立して、水素、アルキル又はヒドロキシ若しくはハロゲンによって置換されたアルキルであり；
Ｒ１１８〜Ｒ１２０及びＲ１２６〜Ｒ１２８は、互いに独立して、水素、アルキル、置換されたアルキル、１個又は２個のヘテロ原子を有するアルキル鎖、アルコキシ、置換されたアルコキシ、ハロゲン、トリフルオロメチル；シクロアルキル；ヘテロシクロアルキル；シアノ；ニトロ；アシルオキシ；アルキルカルボニル、アシルアミノ；アリーロイルアミノ、シンナモイルアミノ、アルキルスルホニルアミノ；アルキルチオ；アルキルスルホニル、アルコキシカルボニル、カルバモイル、スルファモイル、ウレイド、アルキルウレイド、ＳＯ３Ｍ、ＣＯＯＭ；又は、先に定義された式（２ａ）〜（２ｃ）の基であり；
Ｅ４〜Ｅ７は、互いに独立して、先に定義された一般式（Ｅ１）〜（Ｅ３）の基である。
【００１９】
式（Ｉｉ）〜（Ｉｌ）の特に好ましい染料においては、
Ｒ１０５、Ｒ１１０、Ｒ１１５、及びＲ１２３は、互いに独立して、水素、又は（Ｃ１〜Ｃ４）アルキル又はアリールであり；
Ｒ１０６、Ｒ１１１、Ｒ１１６、及びＲ１２４は、互いに独立して、シアノ、カルバミド、アルコキシカルボニル、カルボニル、スルホメチル、−ＳＯ３Ｍ、又は−ＣＯＯＭであり；
Ｒ１０７、Ｒ１１２、Ｒ１１７、及びＲ１２５は、互いに独立して、アルキル又はアリール；アルキル、アルコキシ、ハロゲン又は−ＳＯ３Ｍから選択される１種又は複数の置換基によって置換されたアリールであり；
Ｒ１１８〜Ｒ１２０及びＲ１２６〜Ｒ１２８は、互いに独立して、水素、（Ｃ１〜Ｃ４）−アルキル、（Ｃ１〜Ｃ４）アルコキシル、ヒドロキシル、カルバミド、ハロゲン、又は−ＳＯ３Ｍであるか、又は式（２ａ）〜（２ｃ）の基を含み；
Ｒ１０８、Ｒ１０９、Ｒ１１３、Ｒ１１４、Ｒ１２１、Ｒ１２２、Ｒ１２９、及びＲ１３０は、互いに独立して、水素、又はアルキル、アルコキシ、ハロゲン、−ＳＯ３Ｍ又は−ＳＯ２Ｘであり；
Ｒ１３１及びＲ１３２は、互いに独立して、水素、アルキル又はヒドロキシルによって置換されたアルキルであり；
Ｅ４〜Ｅ７は、互いに独立して、一般式（Ｅ１）〜（Ｅ３）の基であり；
Ｔ及びＸは、先に定義されたのと同じである。
【００２０】
本発明のさらに好ましい実施態様は、式（Ｉｍ）〜（Ｉｐ）の染料、及びそれらの混合物である；
【化１８】
2015531001.tif 000020
【化１９】
2015531001.tif 000021
式中、
Ｒ１３５、Ｒ１３９、Ｒ１４３及びＲ１５０は、互いに独立して、水素、アルキル、シクロアルキル、トリフルオロメチル；アルコキシ、シアノ、カルバモイル、アルコキシカルボニル、ＣＯＯＭ、アミノ；ヒドロキシル、モノシクロアルキル−アミノ；モノアルキル−アミノ；ジ（シクロ）アルキル−アミノ；ジアルキル−アミノ；モノアリール−アミノ；ジアリール−アミノ；モノシクロアルキルモノアリールアミノ；モノアルキルモノアリールアミノ；アルキルチオ；アリールチオであるか；
又は
ヒドロキシ、シクロアルキル、ヘテロアリール、ヘテロシクロアルキル、アリール、アリールオキシ、アルコキシ、アルキルチオ、アリールチオ、ハロゲン、シアノ、ＣＯＯＭ、アルコキシカルボニル、アシルオキシ、カルバモイル、ニトロ、アミノ、アシルアミノ、アリールカルボニルアミノ、アルキルスルホニルアミノ、アリールスルホニルアミノ、ウレイド、アルキルウレイド、及びフェニルウレイドからなる群から選択される１種又は複数の置換基によって置換されたアルキルであり；
Ｒ１３６、Ｒ１４０、Ｒ１４４、及びＲ１５１は、互いに独立して、シアノ、カルバモイル、アルコキシカルボニル、トリフルオロメチル、カルボニルトリフルオロメチル、ハロゲン、メチルスルホニル又は−ＳＯ３Ｍであり；
Ｄ３、Ｄ４、Ｄ５、及びＤ６は、互いに独立して、水素、アルキル、アルケニル、シクロアルキル、トリフルオロメチル、アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ；Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか；
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及びＳＯ３Ｍからなる群から選択される１種又は複数の置換基によって置換されたアルキルであり；
Ｒ１３７、Ｒ１３８、Ｒ１４１、Ｒ１４２、Ｒ１４８、Ｒ１４９、Ｒ１５５、及びＲ１５６は、互いに独立して、水素、又はアルキル、アルコキシ、ハロゲン、シアノ、−ＳＯ３Ｍ、トリフルオロメチル、ニトロ、エステル、ＮＨＣ（Ｏ）Ｒ１５７、ＣＯＮＨ２、Ｓ（Ｏ）２Ｒ１５８又は−ＳＯ２Ｘであり；
Ｒ１５７及びＲ１５８は、互いに独立して、水素、アルキル又はヒドロキシ若しくはハロゲンによって置換されたアルキルであり；
Ｒ１４５、Ｒ１４６、Ｒ１４７、Ｒ１５２、Ｒ１５３、及びＲ１５４は、互いに独立して、水素、アルキル、置換されたアルキル、１個又は２個のヘテロ原子を有するアルキル鎖、アルコキシ、置換されたアルコキシ、ハロゲン、トリフルオロメチル；シクロアルキル；ヘテロシクロアルキル；シアノ；ニトロ；アシルオキシ；アルキルカルボニル、アシルアミノ；アリーロイルアミノ、シンナモイルアミノ、アルキルスルホニルアミノ；アルキルチオ；アルキルスルホニル、アルコキシカルボニル、カルバモイル、スルファモイル、ウレイド、アルキルウレイド、ＳＯ３Ｍ、ＣＯＯＭ；又は、先に定義された式（２ａ）〜（２ｃ）の基であり；
Ｅ８〜Ｅ１１は、互いに独立して、先に定義された一般式（Ｅ１）〜（Ｅ３）の基であり；
Ｔ及びＸは、先に定義されたのと同じである。
【００２１】
式（Ｉｍ）〜（Ｉｐ）の特に好ましい染料においては、
Ｒ１３５、Ｒ１３９、Ｒ１４３、及びＲ１５０は、互いに独立して、水素、又は（Ｃ１〜Ｃ４）−アルキル又はアリールであり；
Ｒ１３６、Ｒ１４０、Ｒ１４４、及びＲ１５１は、互いに独立して、シアノ、カルバミド、アルコキシカルボニル、カルボニル、スルホメチル、−ＳＯ３Ｍ、又は−ＣＯＯＭであり；
Ｄ３、Ｄ４、Ｄ５、及びＤ６は、互いに独立して、アルキル又はアリール；アルキル、アルコキシ、ハロゲン又は−ＳＯ３Ｍから選択される１種又は複数の置換基によって置換されたアルキル又はアリール、アミノ、Ｎ−アルキルアミノ、又はＴによって置換されたアミノ基であり；
Ｒ１３７、Ｒ１３８、Ｒ１４１、Ｒ１４２、Ｒ１４８、Ｒ１４９、Ｒ１５５、及びＲ１５６は、互いに独立して、水素、又はアルキル、アルコキシ、ハロゲン、−ＳＯ３Ｍ又は−ＳＯ２Ｘであり；
Ｒ１４５、Ｒ１４６、Ｒ１４７、Ｒ１５２、Ｒ１５３、及びＲ１５４は、互いに独立して、水素、（Ｃ１〜Ｃ４）−アルキル、（Ｃ１〜Ｃ４）アルコキシル、ヒドロキシル、カルバミド、ハロゲン、又は−ＳＯ３Ｍであるか、又は先に定義された式（２ａ）〜（２ｃ）の基を含み；
Ｅ８〜Ｅ１１は、互いに独立して、先に定義された一般式（Ｅ１）〜（Ｅ３）の基であり；
Ｔ及びＸは、先に定義されたのと同じである。
【００２２】
本発明のさらに好ましい実施態様は、式（Ｉｑ）〜（Ｉｔ）の染料、及びそれらの混合物である；
【化２０】
2015531001.tif 000022
【化２１】
2015531001.tif 000023
式中、
Ｒ１６１、Ｒ１６８、Ｒ１７５、及びＲ１８５は、互いに独立して、アルキル、シアノ、カルバモイル、アルコキシカルボニル、トリフルオロメチル、カルボニルトリフルオロメチル、ハロゲン、メチルスルホニル、又は−ＳＯ３Ｍであり；
Ｒ１６２、Ｒ１６９、Ｒ１７６、及びＲ１８６は、互いに独立して、ヒドロキシル又はアミノであり；
Ｒ１６３〜Ｒ１６５、Ｒ１７０〜Ｒ１７２、Ｒ１７７〜Ｒ１７９、及びＲ１８７〜Ｒ１８９は、互いに独立して、水素、アルキル、アルケニル、シクロアルキル、トリフルオロメチル、アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ；Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか、
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及び−ＳＯ３Ｍからなる群から選択される１種又は複数の置換基によって置換されたアルキル；又は、１個又は複数のヘテロ原子たとえば酸素又は硫黄を有するアルキルであるか；
又は
−ＳＯ２Ｘによって置換されたアルキル又はアリールであるが；ここで
Ｘは、ビニル又は基−ＣＨ２ＣＨ２−Ｙ（ここで、Ｙは、アルカリ性条件下で除去可能な基、たとえばＯＳＯ３Ｍである）であるか、又は残基反応性末端基Ｔに結合する自由電子価を有する残基を含み；
Ｒ１６６、Ｒ１６７、Ｒ１７３、Ｒ１７４、Ｒ１８３、Ｒ１８４、Ｒ１９３、及びＲ１９４は、互いに独立して、水素、又はアルキル、アルコキシ、ハロゲン、シアノ、−ＳＯ３Ｍ、トリフルオロメチル、ニトロ、エステル、ＮＨＣ（Ｏ）Ｒ１９５、ＣＯＮＨ２、Ｓ（Ｏ）２Ｒ１９６又は−ＳＯ２Ｘであり；
Ｒ１９５及びＲ１９６は、互いに独立して、水素、アルキル又はヒドロキシ若しくはハロゲンによって置換されたアルキルであり；
Ｒ１８０〜Ｒ１８２及びＲ１９０〜Ｒ１９２は、互いに独立して、水素、アルキル、置換されたアルキル、１個又は２個のヘテロ原子を有するアルキル鎖、アルコキシ、置換されたアルコキシ、ハロゲン、トリフルオロメチル；シクロアルキル；ヘテロシクロアルキル；シアノ；ニトロ；アシルオキシ；アルキルカルボニル、アシルアミノ；アリーロイルアミノ、シンナモイルアミノ、アルキルスルホニルアミノ；アルキルチオ；アルキルスルホニル、アルコキシカルボニル、カルバモイル、スルファモイル、ウレイド、アルキルウレイド、ＳＯ３Ｍ、ＣＯＯＭ；又は、先に定義された式（２ａ）〜（２ｃ）の基であり；
Ｘは、先の定義と同じである。
【００２３】
式（Ｉｑ）〜（Ｉｔ）の特に好ましい染料においては、
Ｒ１６１、Ｒ１６８、Ｒ１７５、及びＲ１８５は、互いに独立して、（Ｃ１〜Ｃ４）アルキル、シアノ、カルバミド、アルコキシカルボニル、カルボニル又はスルホメチルであり；
Ｒ１６２、Ｒ１６９、Ｒ１７６、及びＲ１８６は、互いに独立して、ヒドロキシル又はアミノであり；
Ｒ１６３〜Ｒ１６５、Ｒ１７０〜Ｒ１７２、Ｒ１７７〜Ｒ１７９、及びＲ１８７〜Ｒ１８９は、互いに独立して、水素、（Ｃ１〜Ｃ４）アルキル、（Ｃ１〜Ｃ４）アルキルオキシ、ハロゲン、−ＳＯ３Ｍ又は−ＳＯ２Ｘ、又はＴを用いて置換された自由電子価であり；
Ｒ１６６、Ｒ１６７、Ｒ１７３、Ｒ１７４、Ｒ１８３、Ｒ１８４、Ｒ１９３、及びＲ１９４は、互いに独立して、水素、（Ｃ１〜Ｃ４）アルキル、（Ｃ１〜Ｃ４）アルコキシル、ハロゲン又は−ＳＯ３Ｍであり；
Ｒ１８０〜Ｒ１８２及びＲ１９０〜Ｒ１９２は、互いに独立して、水素、（Ｃ１〜Ｃ４）−アルキル、（Ｃ１〜Ｃ４）アルコキシル、ヒドロキシル、カルバミド、ハロゲン、又は−ＳＯ３Ｍであるか、又は式（２ａ）〜（２ｃ）の基を含み；
Ｔ及びＸは、先のものと同じ意味を有している。
【００２４】
本発明のさらに好ましい実施態様は、式（Ｉｕ）〜（Ｉｘ）の染料、及びそれらの混合物である；
【化２２】
2015531001.tif 000024
【化２３】
2015531001.tif 000025
Ｒ１９９、Ｒ２０６、Ｒ２１３、及びＲ２２３は、互いに独立して、アルキル、シアノ、カルバモイル、アルコキシカルボニル、トリフルオロメチル、カルボニルトリフルオロメチル、ハロゲン、メチルスルホニル、又は−ＳＯ３Ｍであり；
Ｒ２００、Ｒ２０７、Ｒ２１４、及びＲ２２４は、互いに独立して、ヒドロキシル又はアミノであり；
Ｒ２０１〜Ｒ２０３、Ｒ２０８〜Ｒ２１０、Ｒ２１５〜Ｒ２１７、及びＲ２２５〜Ｒ２２７は、互いに独立して、水素、アルキル、アルケニル、シクロアルキル、トリフルオロメチル、アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ；Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか、
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及び−ＳＯ３Ｍからなる群から選択される１種又は複数の置換基によって置換されたアルキル；又は、１個又は複数のヘテロ原子たとえば酸素又は硫黄を有するアルキルであり；
又は、−ＳＯ２Ｘによって置換されたアルキル又はアリールであるか、又は残基反応性末端基Ｔに結合する自由電子価を有する残基を含むが；
ここで、Ｘは、ビニル又は基−ＣＨ２ＣＨ２−Ｙ（ここで、Ｙは、アルカリ性条件下で除去可能な基、たとえば、ＯＳＯ３Ｍある）であり；
Ｒ２０４、Ｒ２０５、Ｒ２１１、Ｒ２１２、Ｒ２２１、Ｒ２２２、Ｒ２３１、及びＲ２３２は、互いに独立して、水素、又はアルキル、アルコキシ、ハロゲン、シアノ、−ＳＯ３Ｍ、トリフルオロメチル、ニトロ、エステル、ＮＨＣ（Ｏ）Ｒ２３３、ＣＯＮＨ２、Ｓ（Ｏ）２Ｒ２３４又は−ＳＯ２Ｘであり；
Ｒ２３３及びＲ２３４は、互いに独立して、水素、アルキル又はヒドロキシ若しくはハロゲンによって置換されたアルキルであり；
Ｒ２１８〜Ｒ２２０及びＲ２２８〜Ｒ２３０は、互いに独立して、水素、アルキル、置換されたアルキル、１個又は２個のヘテロ原子を有するアルキル鎖、アルコキシ、置換されたアルコキシ、ハロゲン、トリフルオロメチル；シクロアルキル；ヘテロシクロアルキル；シアノ；ニトロ；アシルオキシ；アルキルカルボニル、アシルアミノ；アリーロイルアミノ、シンナモイルアミノ、アルキルスルホニルアミノ；アルキルチオ；アルキルスルホニル、アルコキシカルボニル、カルバモイル、スルファモイル、ウレイド、アルキルウレイド、ＳＯ３Ｍ、ＣＯＯＭ；又は、先に定義された式（２ａ）〜（２ｃ）の基であり；
Ｅ１２〜Ｅ１５は、互いに独立して、先に定義された一般式（Ｅ１）〜（Ｅ３）の基であり；
Ｘは、先の定義と同じである。
【００２５】
式（Ｉｕ）〜（Ｉｘ）の特に好ましい染料においては、
Ｒ１９９、Ｒ２０６、Ｒ２１３、及びＲ２２３は、（Ｃ１〜Ｃ４）アルキル、シアノ、カルバミド、アルコキシカルボニル、カルボニル、又はスルホメチルであり；
Ｒ２００、Ｒ２０７、Ｒ２１４、及びＲ２２４は、ヒドロキシル又はアミノであり；
Ｒ２０１〜Ｒ２０３、Ｒ２０８〜Ｒ２１０、Ｒ２１５〜Ｒ２１７、及びＲ２２５〜Ｒ２２７は、互いに独立して、水素、（Ｃ１〜Ｃ４）アルキル、（Ｃ１〜Ｃ４）アルキルオキシ、ハロゲン、−ＳＯ３Ｍ又は−ＳＯ２Ｘ、又はＴを用いて置換された自由電子価であり；
Ｒ２０４、Ｒ２０５、Ｒ２１１、Ｒ２１２、Ｒ２２１、Ｒ２２２、Ｒ２３１、及びＲ２３２は、互いに独立して、水素、（Ｃ１〜Ｃ４）アルキル、（Ｃ１〜Ｃ４）アルコキシル、ハロゲン又は−ＳＯ３Ｍであり；
Ｒ２１８〜Ｒ２２０及びＲ２２８〜Ｒ２３０は、互いに独立して、水素、（Ｃ１〜Ｃ４）−アルキル、（Ｃ１〜Ｃ４）アルコキシル、ヒドロキシル、カルバミド、ハロゲン、又は−ＳＯ３Ｍであるか、又は式（２ａ）〜（２ｃ）の基を含み；
Ｅ１２〜Ｅ１５は、互いに独立して、一般式（Ｅ１）〜（Ｅ３）の基であり；
Ｔ及びＸは、先のものと同じ意味を有している。
【００２６】
本発明のさらに好ましい実施態様は、式（Ｉｙ）〜（Ｉａｂ）の染料、及びそれらの混合物である；
【化２４】
2015531001.tif 000026
【化２５】
2015531001.tif 000027
式中、
Ｒ２３７、Ｒ２４５、Ｒ２５３及びＲ２６４は、互いに独立して、水素、アルキル、シクロアルキル、トリフルオロメチル；アルコキシ、シアノ、カルバモイル、アルコキシカルボニル、ＣＯＯＭ、アミノ；ヒドロキシル、モノシクロアルキル−アミノ；モノアルキル−アミノ；ジ（シクロ）アルキル−アミノ；ジアルキル−アミノ；モノアリール−アミノ；ジアリール−アミノ；モノシクロアルキルモノアリールアミノ；モノアルキルモノアリールアミノ；アルキルチオ；アリールチオであるか；
又は
ヒドロキシ、シクロアルキル、ヘテロアリール、ヘテロシクロアルキル、アリール、アリールオキシ、アルコキシ、アルキルチオ、アリールチオ、ハロゲン、シアノ、ＣＯＯＭ、アルコキシカルボニル、アシルオキシ、カルバモイル、ニトロ、アミノ、アシルアミノ、アリールカルボニルアミノ、アルキルスルホニルアミノ、アリールスルホニルアミノ、ウレイド、アルキルウレイド、及びフェニルウレイドからなる群から選択される１種又は複数の置換基によって置換されたアルキルであり；
Ｒ２３８、Ｒ２４６、Ｒ２５４、及びＲ２６５は、互いに独立して、シアノ、カルバモイル、アルコキシカルボニル、トリフルオロメチル、カルボニルトリフルオロメチル、ハロゲン、メチルスルホニル又は−ＳＯ３Ｍであり；
Ｒ２３９〜Ｒ２４２、Ｒ２４７〜Ｒ２５０、Ｒ２５５〜Ｒ２５８、及びＲ２６７〜Ｒ２７０は、互いに独立して、水素、アルキル、アルケニル、シクロアルキル、トリフルオロメチル、アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ；Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか、
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及びＳＯ３Ｍからなる群から選択される１種又は複数の置換基によって置換されたアルキル；又は、１個又は複数のヘテロ原子たとえば酸素又は硫黄を有するアルキルであるか；又は残基反応性末端基Ｔに結合する自由電子価を有する残基を含み；
Ｒ２４３、Ｒ２４４、Ｒ２５１、Ｒ２５２、Ｒ２６２、Ｒ２６３、Ｒ２７４、及びＲ２７５は、互いに独立して、水素、又はアルキル、アルコキシ、ハロゲン、シアノ、−ＳＯ３Ｍ、トリフルオロメチル、ニトロ、エステル、ＮＨＣ（Ｏ）Ｒ２７６、ＣＯＮＨ２、Ｓ（Ｏ）２Ｒ２７７、又は−ＳＯ２Ｘであり；
Ｒ２７６及びＲ２７７は、互いに独立して、水素、アルキル又はヒドロキシ若しくはハロゲンによって置換されたアルキルであり；
Ｒ２５９〜Ｒ２６１及びＲ２７１〜Ｒ２７３は、互いに独立して、水素、アルキル、置換されたアルキル、１個又は２個のヘテロ原子を有するアルキル鎖、アルコキシ、置換されたアルコキシ、ハロゲン、トリフルオロメチル；シクロアルキル；ヘテロシクロアルキル；シアノ；ニトロ；アシルオキシ；アルキルカルボニル、アシルアミノ；アリーロイルアミノ、シンナモイルアミノ、アルキルスルホニルアミノ；アルキルチオ；アルキルスルホニル、アルコキシカルボニル、カルバモイル、スルファモイル、ウレイド、アルキルウレイド、ＳＯ３Ｍ、ＣＯＯＭ；又は、先に定義された式（２ａ）〜（２ｃ）の基である。
【００２７】
式（Ｉｙ）〜（Ｉａｂ）の特に好ましい染料においては、
Ｒ２３７、Ｒ２４５、Ｒ２５３、及びＲ２６４は、水素、又は（Ｃ１〜Ｃ４）アルキル、アリール、（Ｃ１〜Ｃ４）アルキルオキシであり；
Ｒ２３８、Ｒ２４６、Ｒ２５４、及びＲ２６５は、（Ｃ１〜Ｃ４）アルキル、シアノ、カルバミド、アルコキシカルボニル、カルボニル、又はスルホメチルであり；
Ｒ２３９〜Ｒ２４２、Ｒ２４７〜Ｒ２５０、Ｒ２５５〜Ｒ２５８、及びＲ２６７〜Ｒ２７０は、互いに独立して、水素、（Ｃ１〜Ｃ４）アルキル、（Ｃ１〜Ｃ６）アルキルオキシ、アリール；
又は、−Ａｌｋ−ＳＯ２Ｘ、
又は、ハロゲン、−ＳＯ３Ｍ又は−ＳＯ２Ｘから選択される１種又は複数の基によって置換されたアリール、又はＴを用いて置換された自由電子価であり；
Ｒ２４３、Ｒ２４４、Ｒ２５１、Ｒ２５２、Ｒ２６２、Ｒ２６３、Ｒ２７４、及びＲ２７５は、互いに独立して、水素、（Ｃ１〜Ｃ４）アルキル、（Ｃ１〜Ｃ４）アルコキシル、ハロゲン、又は−ＳＯ３Ｍであり；
Ｒ２５９〜Ｒ２６１及びＲ２７１〜Ｒ２７３は、互いに独立して、水素、（Ｃ１〜Ｃ４）−アルキル、（Ｃ１〜Ｃ４）アルコキシル、ヒドロキシル、カルバミド、ハロゲン、又は−ＳＯ３Ｍであるか、又は式（２ａ）〜（２ｃ）の基を含み；
Ｔ及びＸは、先に提示されたものと同じ意味を有している。
【００２８】
本発明のさらに好ましい実施態様は、式（Ｉａｃ）〜（Ｉａｆ）の染料、及びそれらの混合物である；
【化２６】
2015531001.tif 000028
【化２７】
2015531001.tif 000029
式中、
Ｒ２８０、Ｒ２８８、Ｒ２９６及びＲ３０７は、互いに独立して、水素、アルキル、シクロアルキル、トリフルオロメチル；アルコキシ、シアノ、カルバモイル、アルコキシカルボニル、ＣＯＯＭ、アミノ；ヒドロキシル、モノシクロアルキル−アミノ；モノアルキル−アミノ；ジ（シクロ）アルキル−アミノ；ジアルキル−アミノ；モノアリール−アミノ；ジアリール−アミノ；モノシクロアルキルモノアリールアミノ；モノアルキルモノアリールアミノ；アルキルチオ；アリールチオであるか；
又は
ヒドロキシ、シクロアルキル、ヘテロアリール、ヘテロシクロアルキル、アリール、アリールオキシ、アルコキシ、アルキルチオ、アリールチオ、ハロゲン、シアノ、ＣＯＯＭ、アルコキシカルボニル、アシルオキシ、カルバモイル、ニトロ、アミノ、アシルアミノ、アリールカルボニルアミノ、アルキルスルホニルアミノ、アリールスルホニルアミノ、ウレイド、アルキルウレイド、及びフェニルウレイドからなる群から選択される１種又は複数の置換基によって置換されたアルキルであり；
Ｒ２８１、Ｒ２８９、Ｒ２９７、及びＲ３０８は、シアノ、カルバモイル、アルコキシカルボニル、トリフルオロメチル、カルボニルトリフルオロメチル、ハロゲン、メチルスルホニル、又は−ＳＯ３Ｍであり；
Ｒ２８２〜Ｒ２８５、Ｒ２９０〜Ｒ２９３、Ｒ２９８〜Ｒ３０１、及びＲ３０９〜Ｒ３１２は、互いに独立して、水素、アルキル、アルケニル、シクロアルキル、トリフルオロメチル、アリール、ヘテロアリール、ヘテロシクロアルキル、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリールカルバモイル、スルファモイル、Ｎ−モノシクロアルキル−スルファモイル、Ｎ−モノアルキル−スルファモイル、Ｎ，Ｎ−ジシクロアルキルスルファモイル、Ｎ，Ｎ−ジアルキル−スルファモイル、Ｎ−モノアリール−スルファモイル、Ｎ，Ｎ−ジアリール−スルファモイル、Ｎ−モノシクロアルキル−Ｎ−モノアリールスルファモイル、Ｎ−モノアルキル−Ｎ−モノアリール−スルファモイル、アミノ、Ｎ−アシルアミノ、Ｎ−チオアシルアミノ、ウレイド、アルキルウレイド、フェニルウレイド、Ｎ−モノアルキルアミノ、Ｎ，Ｎ−ジアルキル−アミノ、Ｎ−アリールアミノ、Ｎ，Ｎ−ジアリールアミノ、Ｎ−アルキル−Ｎ−アリール−アミノ、Ｎ−モノシクロアルキルアミノ、Ｎ；Ｎ−ジシクロアルキルアミノ、Ｎ−アルキル−Ｎ−シクロアルキル−アミノ、Ｎ−アリール−Ｎ−シクロアルキル−アミノ、Ｎ−ヘテロアリールアミノ、Ｎ−ヘテロシクロアルキルアミノ、又はヒドロキシアルキルスルホニルアルキルであるか、
又は
１個又は複数のヘテロ原子、たとえば酸素又は硫黄を有するアルキルであるか；
又は
ヒドロキシ、アリール、シクロアルキル、アルコキシ、チオアルコキシ、アミノ、Ｎ−モノアルキル−アミノ、Ｎ，Ｎ−ジアルキル−アミノ、Ｎ−モノアリール−アミノ、Ｎ，Ｎ−ジアリール−アミノ、Ｎ−アルキル−Ｎ−アリール−アミノ、Ｎ−モノシクロアルキル−アミノ、Ｎ，Ｎ−ジシクロアルキル−アミノ、Ｎ−モノアルキル−モノシクロアルキル−アミノ、Ｎ，Ｎ−モノアリール−モノシクロアルキル−アミノ、Ｎ−アシルアミノ、Ｎ−アルキルスルホニル−アミノ、ウレイド、アルキルウレイド、フェニルウレイド、ハロゲン、シアノ、ＣＯＯＭ、ニトロ、アシル、チオアシル、アルキルスルホニル、アリーロイル、トリフルオロメチル、ヘテロアリール、ヘテロシクロアルキル、アルコキシカルボニル、アルコキシチオカルボニル、アシルオキシ、アリーロイルオキシ、カルバモイル、Ｎ−モノシクロアルキル−カルバモイル、Ｎ−モノアルキル−カルバモイル、Ｎ，Ｎ−ジシクロアルキル−カルバモイル、Ｎ，Ｎ−ジアルキル−カルバモイル、Ｎ−モノアリール−カルバモイル、Ｎ，Ｎ−ジアリール−カルバモイル、Ｎ−モノシクロアルキル−Ｎ−モノアリールカルバモイル、Ｎ−モノアルキル−Ｎ−モノアリール−カルバモイル、スルファモイル、Ｎ−モノシクロアルキル−スルファモイル、Ｎ−モノアルキル−スルファモイル、Ｎ，Ｎ−ジシクロアルキル−スルファモイル、Ｎ，Ｎ−ジアルキル−スルファモイル、Ｎ−モノアリールスルファモイル、Ｎ，Ｎ−ジアリール−スルファモイル、Ｎ−モノシクロアルキル−Ｎ−モノアリールスルファモイル、Ｎ−モノアルキル−Ｎ−モノアリールスルファモイル、及びＳＯ３Ｍからなる群から選択される１種又は複数の置換基によって置換されたアルキル；又は、１個又は複数のヘテロ原子たとえば酸素又は硫黄を有するアルキル；又は残基反応性末端基Ｔに結合する自由電子価を有する残基であり；
Ｒ２８６、Ｒ２８７、Ｒ２９４、Ｒ２９５、Ｒ３０５、Ｒ３０６、Ｒ３１６、及びＲ３１７は、互いに独立して、水素、又はアルキル、アルコキシ、ハロゲン、シアノ、−ＳＯ３Ｍ、トリフルオロメチル、ニトロ、エステル、ＮＨＣ（Ｏ）Ｒ３１８、ＣＯＮＨ２、Ｓ（Ｏ）２Ｒ３１９、又は−ＳＯ２Ｘであり；
Ｒ３１８及びＲ３１９は、互いに独立して、水素、アルキル又はヒドロキシ若しくはハロゲンによって置換されたアルキルであり；
Ｒ３０２〜Ｒ３０４及びＲ３１３〜Ｒ３１５は、互いに独立して、水素、アルキル、置換されたアルキル、１個又は２個のヘテロ原子を有するアルキル鎖、アルコキシ、置換されたアルコキシ、ハロゲン、トリフルオロメチル；シクロアルキル；ヘテロシクロアルキル；シアノ；ニトロ；アシルオキシ；アルキルカルボニル、アシルアミノ；アリーロイルアミノ、シンナモイルアミノ、アルキルスルホニルアミノ；アルキルチオ；アルキルスルホニル、アルコキシカルボニル、カルバモイル、スルファモイル、ウレイド、アルキルウレイド、ＳＯ３Ｍ、ＣＯＯＭ；又は、先に定義された式（２ａ）〜（２ｃ）の基であり；
Ｅ１６〜Ｅ１９は、互いに独立して、先に定義された一般式（Ｅ１）〜（Ｅ３）の基であり；
Ｔ及びＸは、先に提示されたものと同じ意味を有している。
【００２９】
式（Ｉａｃ）〜（Ｉａｆ）の特に好ましい染料においては、
Ｒ２８０、Ｒ２８８、Ｒ２９６、及びＲ３０７は、互いに独立して、水素、又は（Ｃ１〜Ｃ４）アルキル、アリール、（Ｃ１〜Ｃ４）アルキルオキシであり；
Ｒ２８１、Ｒ２８９、Ｒ２９７、及びＲ３０８は、互いに独立して、（Ｃ１〜Ｃ４）アルキル、シアノ、カルバミド、アルコキシカルボニル、カルボニル又はスルホメチルであり；
Ｒ２８２〜Ｒ２８５、Ｒ２９０〜Ｒ２９３、Ｒ２９８〜Ｒ３０１、及びＲ３０９〜Ｒ３１１は、互いに独立して、水素、（Ｃ１〜Ｃ４）アルキル、（Ｃ１〜Ｃ６）アルキルオキシ、アリール、
又は、−Ａｌｋ−ＳＯ２Ｘ、
又は、ハロゲン、−ＳＯ３Ｍ又は−ＳＯ２Ｘから選択される１種又は複数の基によって置換されたアリール、又はＴを用いて置換された自由電子価であり；
Ｒ２８６、Ｒ２８７、Ｒ２９４、Ｒ２９５、Ｒ３０５、Ｒ３０６、Ｒ３１６、及びＲ３１７は、互いに独立して、水素、（Ｃ１〜Ｃ４）アルキル、（Ｃ１〜Ｃ４）アルコキシル、ハロゲン、又は−ＳＯ３Ｍであり；
Ｒ３０２〜Ｒ３０４及びＲ３１３〜Ｒ３１５は、互いに独立して、水素、（Ｃ１〜Ｃ４）−アルキル、（Ｃ１〜Ｃ４）アルコキシル、ヒドロキシル、カルバミド、ハロゲン、又は−ＳＯ３Ｍであるか、又は式（２ａ）〜（２ｃ）の基を含み；
Ｅ１６〜Ｅ１９は、互いに独立して、一般式（Ｅ１）〜（Ｅ３）の基であり；
Ｔ及びＸは、先に定義されたのと同じである。
【００３０】
本発明の好ましい染料の例は、一般式（ＩＩ）に相当する１〜１９４（表１）の染料である。
【化２８】
2015531001.tif 000030
式中、
ｎは、０又は１であり；
Ｋ７は、複素環式カップリング成分の基であって、先にＫについて記したのと同じ意味を有し；
Ａ３は、中間成分の基であって、先にＡについて記したのと同じ意味を有し；
Ｂ３は、ジアゾ成分の基であって、先にＢについて記したのと同じ意味を有し；
Ｍは、水素、ナトリウム、カリウム、リチウム、又はアンモニウムである。
【００３１】
【表１】
2015531001.tif 000031
【００３２】
【表２】
2015531001.tif 000032
【００３３】
【表３】
2015531001.tif 000033
【００３４】
【表４】
2015531001.tif 000034
【００３５】
【表５】
2015531001.tif 000035
【００３６】
【表６】
2015531001.tif 000036
【００３７】
【表７】
2015531001.tif 000037
【００３８】
【表８】
2015531001.tif 000038
【００３９】
【表９】
2015531001.tif 000039
【００４０】
【表１０】
2015531001.tif 000040
【００４１】
【表１１】
2015531001.tif 000041
【００４２】
【表１２】
2015531001.tif 000042
【００４３】
【表１３】
2015531001.tif 000043
【００４４】
【表１４】
2015531001.tif 000044
【００４５】
【表１５】
2015531001.tif 000045
【００４６】
【表１６】
2015531001.tif 000046
【００４７】
【表１７】
2015531001.tif 000047
【００４８】
【表１８】
2015531001.tif 000048
【００４９】
【表１９】
2015531001.tif 000049
【００５０】
【表２０】
2015531001.tif 000050
【００５１】
【表２１】
2015531001.tif 000051
【００５２】
【表２２】
2015531001.tif 000052
【００５３】
【表２３】
2015531001.tif 000053
【００５４】
【表２４】
2015531001.tif 000054
【００５５】
【表２５】
2015531001.tif 000055
【００５６】
【表２６】
2015531001.tif 000056
【００５７】
【表２７】
2015531001.tif 000057
【００５８】
【表２８】
2015531001.tif 000058
【００５９】
【表２９】
2015531001.tif 000059
【００６０】
【表３０】
2015531001.tif 000060
【００６１】
【表３１】
2015531001.tif 000061
【００６２】
【表３２】
2015531001.tif 000062
【００６３】
【表３３】
2015531001.tif 000063
【００６４】
【表３４】
2015531001.tif 000064
【００６５】
【表３５】
2015531001.tif 000065
【００６６】
【表３６】
2015531001.tif 000066
【００６７】
【表３７】
2015531001.tif 000067
【００６８】
【表３８】
2015531001.tif 000068
【００６９】
【表３９】
2015531001.tif 000069
【００７０】
【表４０】
2015531001.tif 000070
【００７１】
【表４１】
2015531001.tif 000071
【００７２】
【表４２】
2015531001.tif 000072
【００７３】
【表４３】
2015531001.tif 000073
【００７４】
【表４４】
2015531001.tif 000074
【００７５】
【表４５】
2015531001.tif 000075
【００７６】
【表４６】
2015531001.tif 000076
【００７７】
【表４７】
2015531001.tif 000077
【００７８】
【表４８】
2015531001.tif 000078
【００７９】
【表４９】
2015531001.tif 000079
【００８０】
【表５０】
2015531001.tif 000080
【００８１】
【表５１】
2015531001.tif 000081
【００８２】
【表５２】
2015531001.tif 000082
【００８３】
【表５３】
2015531001.tif 000083
【００８４】
【表５４】
2015531001.tif 000084
【００８５】
【表５５】
2015531001.tif 000085
【００８６】
【表５６】
2015531001.tif 000086
【００８７】
【表５７】
2015531001.tif 000087
【００８８】
【表５８】
2015531001.tif 000088
【００８９】
【表５９】
2015531001.tif 000089
【００９０】
【表６０】
2015531001.tif 000090
【００９１】
【表６１】
2015531001.tif 000091
【００９２】
【表６２】
2015531001.tif 000092
【００９３】
【表６３】
2015531001.tif 000093
【００９４】
【表６４】
2015531001.tif 000094
【００９５】
【表６５】
2015531001.tif 000095
【００９６】
【表６６】
2015531001.tif 000096
【００９７】
【表６７】
2015531001.tif 000097
【００９８】
【表６８】
2015531001.tif 000098
【００９９】
【表６９】
2015531001.tif 000099
【０１００】
【表７０】
2015531001.tif 000100
【０１０１】
【表７１】
2015531001.tif 000101
【０１０２】
【表７２】
2015531001.tif 000102
【０１０３】
【表７３】
2015531001.tif 000103
【０１０４】
【表７４】
2015531001.tif 000104
【０１０５】
【表７５】
2015531001.tif 000105
【０１０６】
【表７６】
2015531001.tif 000106
【０１０７】
【表７７】
2015531001.tif 000107
【０１０８】
【表７８】
2015531001.tif 000108
【０１０９】
【表７９】
2015531001.tif 000109
【０１１０】
【表８０】
2015531001.tif 000110
【０１１１】
【表８１】
2015531001.tif 000111
【０１１２】
【表８２】
2015531001.tif 000112
【０１１３】
【表８３】
2015531001.tif 000113
【０１１４】
【表８４】
2015531001.tif 000114
【０１１５】
【表８５】
2015531001.tif 000115
【０１１６】
【表８６】
2015531001.tif 000116
【０１１７】
【表８７】
2015531001.tif 000117
【０１１８】
【表８８】
2015531001.tif 000118
【０１１９】
【表８９】
2015531001.tif 000119
【０１２０】
【表９０】
2015531001.tif 000120
【０１２１】
【表９１】
2015531001.tif 000121
【０１２２】
【表９２】
2015531001.tif 000122
【０１２３】
【表９３】
2015531001.tif 000123
【０１２４】
【表９４】
2015531001.tif 000124
【０１２５】
【表９５】
2015531001.tif 000125
【０１２６】
【表９６】
2015531001.tif 000126
【０１２７】
【表９７】
2015531001.tif 000127
【０１２８】
【表９８】
2015531001.tif 000128
【０１２９】
【表９９】
2015531001.tif 000129
【０１３０】
【表１００】
2015531001.tif 000130
【０１３１】
【表１０１】
2015531001.tif 000131
【０１３２】
本発明の好ましい染料のさらなる例は、一般式（ＩＩＩ）に相当する１９５〜３９１（表２）の染料である。
【化２９】
2015531001.tif 000132
式中、
ｎは、０又は１であり；
Ｋ８は、複素環式カップリング成分の基であって、先にＫについて記したのと同じ意味を有し；
Ａ４は、中間成分の基であって、先にＡについて記したのと同じ意味を有し；
Ｂ４は、ジアゾ成分の基であって、先にＢについて記したのと同じ意味を有し；
Ｍは、水素、ナトリウム、カリウム、リチウム、又はアンモニウムである。
【０１３３】
【表１０２】
2015531001.tif 000133
【０１３４】
【表１０３】
2015531001.tif 000134
【０１３５】
【表１０４】
2015531001.tif 000135
【０１３６】
【表１０５】
2015531001.tif 000136
【０１３７】
【表１０６】
2015531001.tif 000137
【０１３８】
【表１０７】
2015531001.tif 000138
【０１３９】
【表１０８】
2015531001.tif 000139
【０１４０】
【表１０９】
2015531001.tif 000140
【０１４１】
【表１１０】
2015531001.tif 000141
【０１４２】
【表１１１】
2015531001.tif 000142
【０１４３】
【表１１２】
2015531001.tif 000143
【０１４４】
【表１１３】
2015531001.tif 000144
【０１４５】
【表１１４】
2015531001.tif 000145
【０１４６】
【表１１５】
2015531001.tif 000146
【０１４７】
【表１１６】
2015531001.tif 000147
【０１４８】
【表１１７】
2015531001.tif 000148
【０１４９】
【表１１８】
2015531001.tif 000149
【０１５０】
【表１１９】
2015531001.tif 000150
【０１５１】
【表１２０】
2015531001.tif 000151
【０１５２】
【表１２１】
2015531001.tif 000152
【０１５３】
【表１２２】
2015531001.tif 000153
【０１５４】
【表１２３】
2015531001.tif 000154
【０１５５】
【表１２４】
2015531001.tif 000155
【０１５６】
【表１２５】
2015531001.tif 000156
【０１５７】
【表１２６】
2015531001.tif 000157
【０１５８】
【表１２７】
2015531001.tif 000158
【０１５９】
【表１２８】
2015531001.tif 000159
【０１６０】
【表１２９】
2015531001.tif 000160
【０１６１】
【表１３０】
2015531001.tif 000161
【０１６２】
【表１３１】
2015531001.tif 000162
【０１６３】
【表１３２】
2015531001.tif 000163
【０１６４】
【表１３３】
2015531001.tif 000164
【０１６５】
【表１３４】
2015531001.tif 000165
【０１６６】
【表１３５】
2015531001.tif 000166
【０１６７】
【表１３６】
2015531001.tif 000167
【０１６８】
【表１３７】
2015531001.tif 000168
【０１６９】
【表１３８】
2015531001.tif 000169
【０１７０】
【表１３９】
2015531001.tif 000170
【０１７１】
【表１４０】
2015531001.tif 000171
【０１７２】
【表１４１】
2015531001.tif 000172
【０１７３】
【表１４２】
2015531001.tif 000173
【０１７４】
【表１４３】
2015531001.tif 000174
【０１７５】
【表１４４】
2015531001.tif 000175
【０１７６】
【表１４５】
2015531001.tif 000176
【０１７７】
【表１４６】
2015531001.tif 000177
【０１７８】
【表１４７】
2015531001.tif 000178
【０１７９】
【表１４８】
2015531001.tif 000179
【０１８０】
【表１４９】
2015531001.tif 000180
【０１８１】
【表１５０】
2015531001.tif 000181
【０１８２】
【表１５１】
2015531001.tif 000182
【０１８３】
【表１５２】
2015531001.tif 000183
【０１８４】
【表１５３】
2015531001.tif 000184
【０１８５】
【表１５４】
2015531001.tif 000185
【０１８６】
【表１５５】
2015531001.tif 000186
【０１８７】
【表１５６】
2015531001.tif 000187
【０１８８】
【表１５７】
2015531001.tif 000188
【０１８９】
【表１５８】
2015531001.tif 000189
【０１９０】
【表１５９】
2015531001.tif 000190
【０１９１】
【表１６０】
2015531001.tif 000191
【０１９２】
【表１６１】
2015531001.tif 000192
【０１９３】
【表１６２】
2015531001.tif 000193
【０１９４】
【表１６３】
2015531001.tif 000194
【０１９５】
【表１６４】
2015531001.tif 000195
【０１９６】
【表１６５】
2015531001.tif 000196
【０１９７】
【表１６６】
2015531001.tif 000197
【０１９８】
【表１６７】
2015531001.tif 000198
【０１９９】
【表１６８】
2015531001.tif 000199
【０２００】
【表１６９】
2015531001.tif 000200
【０２０１】
【表１７０】
2015531001.tif 000201
【０２０２】
【表１７１】
2015531001.tif 000202
【０２０３】
【表１７２】
2015531001.tif 000203
【０２０４】
【表１７３】
2015531001.tif 000204
【０２０５】
【表１７４】
2015531001.tif 000205
【０２０６】
【表１７５】
2015531001.tif 000206
【０２０７】
【表１７６】
2015531001.tif 000207
【０２０８】
【表１７７】
2015531001.tif 000208
【０２０９】
【表１７８】
2015531001.tif 000209
【０２１０】
【表１７９】
2015531001.tif 000210
【０２１１】
【表１８０】
2015531001.tif 000211
【０２１２】
【表１８１】
2015531001.tif 000212
【０２１３】
【表１８２】
2015531001.tif 000213
【０２１４】
【表１８３】
2015531001.tif 000214
【０２１５】
【表１８４】
2015531001.tif 000215
【０２１６】
【表１８５】
2015531001.tif 000216
【０２１７】
【表１８６】
2015531001.tif 000217
【０２１８】
【表１８７】
2015531001.tif 000218
【０２１９】
【表１８８】
2015531001.tif 000219
【０２２０】
【表１８９】
2015531001.tif 000220
【０２２１】
【表１９０】
2015531001.tif 000221
【０２２２】
【表１９１】
2015531001.tif 000222
【０２２３】
【表１９２】
2015531001.tif 000223
【０２２４】
【表１９３】
2015531001.tif 000224
【０２２５】
【表１９４】
2015531001.tif 000225
【０２２６】
【表１９５】
2015531001.tif 000226
【０２２７】
【表１９６】
2015531001.tif 000227
【０２２８】
【表１９７】
2015531001.tif 000228
【０２２９】
【表１９８】
2015531001.tif 000229
【０２３０】
【表１９９】
2015531001.tif 000230
【０２３１】
【表２００】
2015531001.tif 000231
【０２３２】
【表２０１】
2015531001.tif 000232
【０２３３】
本発明はさらに、式（Ｉ）の染料を調製するためのプロセスも提供するが、それには、式（ＩＶ）の化合物のジアゾ化及び、それによって得られたジアゾニウム塩を式Ｋの化合物と反応させて一般式（Ｖ）の中間体を得ることが含まれる。
【化３０】
2015531001.tif 000233
【０２３４】
さらなるステップにおいて、ジアゾ成分（Ｂ−ＮＨ２）をジアゾ化させ、中間体Ｖとカップリングさせて、一般式（ＶＩ）のビスアゾ染料反応生成物を得る。
【化３１】
2015531001.tif 000234
【０２３５】
別な方法として、ジアゾ成分（Ｂ−ＮＨ２）を、ジアゾ化させ、化合物（Ａ−ＮＨ２）とカップリングさせて、中間体（ＶＩＩ）を得ることもできる。さらに、その中間体（ＶＩＩ）をジアゾ化させ、化合物（Ｖ）とカップリングさせて、一般式（ＶＩＩＩ）のトリスアゾ染料反応生成物が得られる。
【化３２】
2015531001.tif 000235
式中、Ａ、Ｂ及びＫは、先に記したのと同じ意味を有する。
【０２３６】
式（ＩＶ）、Ｂ−ＮＨ２及び（ＶＩＩ）の化合物のジアゾ化は、当業者には公知であるジアゾ化の手段、好ましくは、塩酸、硫酸若しくはリン酸又はそれらの混合物のような無機酸、又は酢酸若しくはプロピオン酸又はそれらの混合物のような有機酸を使用した酸性媒体の中で、亜硝酸ナトリウム又はニトロシル硫酸を使用することによって、実施することができる。無機酸と有機酸との混合物もまた、有利に使用することができる。
【０２３７】
式（ＩＶ）、Ｂ−ＮＨ２及び（ＶＩＩ）のジアゾ化された化合物の、式（Ｋ）及び（Ｖ）の化合物とのカップリング反応も、公知の方法により同様に実施することができる。
【０２３８】
式Ａ、Ｂ及びＫの化合物は公知であって、市場で入手することができるし、あるいは、当業者には公知の一般的な化学反応の手段によって合成することもできる。
【０２３９】
本発明はさらに、ヒドロキシル含有及び／又はカルボキサミド含有材料を染色又は捺染するための本発明の染料の使用を提供するか、又は、ヒドロキシル含有、アミノ含有、及び／又はカルボキサミド含有材料を染色又は捺染するためのプロセスを提供するが、その場合染料を材料に染着させ、通常の手段によってその材料の上に固着させるが、そのプロセスでは本発明による染料を使用する。
【０２４０】
ヒドロキシル含有材料は天然由来であっても、合成由来であってもよい。例を挙げれば、セルロース繊維材料、好ましくは綿、リネン、麻、ジュート及びラミー繊維、再生セルロース繊維たとえば好ましくはステープルビスコース及びフィラメントビスコース、化学改質セルロース繊維、たとえばアミノ化セルロース繊維、さらにはポリビニルアルコールなどがある。
【０２４１】
カルボキサミド含有材料としては、たとえば、合成及び天然のポリアミド及びポリウレタン、たとえば羊毛その他の動物の毛、絹、皮革、ナイロン−６，６、ナイロン−６、ナイロン−１１、及びナイロン−４などが挙げられる。
【０２４２】
上述のヒドロキシル含有及び／又はカルボキサミド含有材料は、各種の形態で存在させることができる。たとえば、たとえば紙及び皮革のようなシート状の構造の形態で、ナイロンフィルムのようなフィルムの形態で、たとえばポリアミド及びポリウレタンからなるバルクマス（ｂｕｌｋ  ｍａｓｓ）の形態で、特にはたとえばセルロース繊維のような繊維の形態で存在させる。それらの繊維は、織物繊維たとえば織布又は糸の形態であるか、あるいは「かせ」若しくは巻取りパッケージの形態であるのが好ましい。
【０２４３】
本発明の染料及びそれらの塩又は混合物は、染色又は捺染プロセスにおける単一の染色製品として使用することもできるし、あるいは、染色組成物又は捺染組成物における二成分、三成分又は多成分を組み合わせた製品の一部として使用することもできる。
【０２４４】
本発明の染料及びそれらの塩又は混合物は、他の公知の染料及び／又は市販の染料との相溶性が高く、そのような染料と共に使用して、同様に良好な技術的性能の特別な色相を与えることができる。技術的性能としては、ビルドアップ性、堅牢性、及び均染性が挙げられる。
【０２４５】
本発明による染料は、水溶性染料に関連した公知の染着技術によって、上述の材料、特に上述の繊維材料に適用することができる。このことは、染色プロセス及び捺染プロセスのいずれにもあてはまる。
【０２４６】
それは、羊毛又はその他の天然ポリアミド若しくは合成ポリアミド及びそれらと他の繊維材料との混合物からなる繊維材料を染色させる場合に特にあてはまる。通常は、染色すべき材料を温度約４０℃の浴に浸漬し、その中でしばらく撹拌し、次いで染浴を所望の弱酸性のｐＨ、好ましくは弱酢酸性のｐＨに調節するが、実際の染色は６０〜９８℃の温度で実施される。しかしながら、この染色は沸騰温度又は、密閉した染色装置の中で１０６℃までの温度で実施することもできる。
【０２４７】
本発明による染料の水への溶解性が非常に高いので、それらを通常の連続染色プロセスにおいても幸便に使用することができる。
【０２４８】
本発明の染料はさらに、デジタル捺染プロセス、特にデジタル織物捺染において使用することもできる。このためには、本発明の染料をインキの中に配合する必要がある。本発明による染料を含むデジタル捺染のための水性インキもまた同様に、本発明の主題の一部を形成する。
【０２４９】
本発明のインキには、本発明の染料を、インキの全重量を基準にして、好ましくは０．１重量％〜５０重量％、より好ましくは１重量％〜３０重量％、最も好ましくは１重量％〜１５重量％の範囲の量で含む。
【０２５０】
本発明の染料と同様に、それらのインキには、所望により、デジタル捺染において使用されるさらなる染料が含まれていてもよい。
【０２５１】
連続流動プロセスで使用する本発明のインキでは、電解質を添加することにより、０．５〜２５ｍＳ／ｍの導電率になるようにすることも可能である。有用な電解質としてはたとえば、硝酸リチウム及び硝酸カリウムなどが挙げられる。本発明のインキでは、全量で１〜５０％、好ましくは５〜３０重量％の有機溶媒を含むことができる。好適な有機溶媒としては、たとえば以下のものが挙げられる：アルコール類たとえば、メタノール、エタノール、１−プロパノール、イソプロパノール、１−ブタノール、ｔｅｒｔ−ブタノール、ペンチルアルコール、多価アルコール類たとえば、１，２−エタンジオール、１，２，３−プロパントリオール、ブタンジオール、１，３−ブタンジオール、１，４−ブタンジオール、１，２−プロパンジオール、２，３−プロパンジオール、ペンタンジオール、１，４−ペンタンジオール、１，５−ペンタンジオール、ヘキサンジオール、Ｄ，Ｌ−１，２−ヘキサンジオール、１，６−ヘキサンジオール、１，２，６−ヘキサントリオール、１，２−オクタンジオール、ポリアルキレングリコール類たとえば、ポリエチレングリコール、ポリプロピレングリコール、１〜８個のアルキレン基を有するアルキレングリコール類たとえば、モノエチレングリコール、ジエチレングリコール、トリエチレングリコール、テトラエチレングリコール、チオグリコール、チオジグリコール、ブチルトリグリコール、ヘキシレングリコール、プロピレングリコール、ジプロピレングリコール、トリプロピレングリコール、多価アルコールの低級アルキルエーテル類たとえば、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、ジエチレングリコールモノヘキシルエーテル、トリエチレングリコールモノメチルエーテル、トリエチレングリコールモノブチルエーテル、トリプロピレングリコールモノメチルエーテル、テトラエチレングリコールモノメチルエーテル、テトラエチレングリコールモノブチルエーテル、テトラエチレングリコールジメチルエーテル、プロピレングリコールモノメチルエーテル、プロピレングリコールモノエチルエーテル、プロピレングリコールモノブチルエーテル、トリプロピレングリコールイソプロピルエーテル、ポリアルキレングリコールエーテル類たとえば、ポリエチレングリコールモノメチルエーテル、ポリプロピレングリコールグリセロルエーテル、ポリエチレングリコールトリデシルエーテル、ポリエチレングリコールノニルフェニルエーテル、アミン類たとえば、メチルアミン、エチルアミン、トリエチルアミン、ジエチルアミン、ジメチルアミン、トリメチルアミン、ジブチルアミン、ジエタノールアミン、トリエタノールアミン、Ｎ−アセチルエタノールアミン、Ｎ−ホルミルエタノールアミン、エチレンジアミン、尿素誘導体類たとえば、尿素、チオ尿素、Ｎ−メチル尿素、Ｎ，Ｎ’−イプシロンジメチル尿素、エチレン尿素、１，１，３，３−テトラメチル尿素、アミド類、たとえば：ジメチルホルムアミド、ジメチルアセトアミド、アセトアミド、ケトン類又はケトアルコール類たとえば、アセトン、ジアセトンアルコール、環状エーテル類たとえば、テトラヒドロフラン、トリメチロールエタン、トリメチロールプロパン、２−ブトキシエタノール、ベンジルアルコール、２−ブトキシエタノール、ガンマ−ブチロラクトン、イプシロン−カプロラクタム、さらにスルホラン、ジメチルスルホラン、メチルスルホラン、２，４−ジメチルスルホラン、ジメチルスルホン、ブタジエンスルホン、ジメチルスルホキシド、ジブチルスルホキシド、Ｎ−シクロヘキシルピロリドン、Ｎ−メチル−２−ピロリドン、Ｎ−エチルピロリドン、２−ピロリドン、１−（２−ヒドロキシエチル）−２−ピロリドン、１−（３−ヒドロキシプロピル）−２−ピロリドン、１，３−ジメチル−２−イミダゾリジノン、１，３−ジメチル−２−イミダゾリノン、１，３−ビスメトキシメチルイミダゾリジン、２−（２−メトキシエトキシ）エタノール、２−（２−エトキシエトキシ）エタノール、２−（２−ブトキシエトキシ）エタノール、２−（２−プロポキシエトキシ）エタノール、ピリジン、ピペリジン、ブチロラクトン、トリメチルプロパン、１，２−ジメトキシプロパン、ジオキサン酢酸エチル、エチレンジアミンテトラアセテート、エチルペンチルエーテル、１，２−ジメトキシプロパン及びトリメチロールプロパン、及びトリメチルプロパン。
【０２５２】
本発明のインキには慣用される添加剤をさらに含んでいてもよく、たとえば粘度調整剤を用いて、温度範囲２０〜５０℃における粘度を１．５〜４０．０ｍＰａｓの範囲とする。好適なインキでの粘度は１．５〜２０ｍＰａｓ、特に好適なインキでの粘度は１．５〜１５ｍＰａｓである。
【０２５３】
有用な粘度調整剤としては、たとえば以下のレオロジー添加剤が挙げられる：ポリビニルカプロラクタム、ポリビニルピロリドン及びそのコポリマー、ポリエーテルポリオール、複合増粘剤、ポリ尿素、ポリウレタン、アルギン酸ナトリウム、変性ガラクトマンナン、ポリエーテル尿素、ポリウレタン、ノニオン性セルロースエーテル。
【０２５４】
その他の添加剤として、本発明のインキに界面活性剤を加えて界面張力を２０〜６５ｍＮ／ｍに調整することもできるが、これは使用するプロセス（サーマル又はピエゾ技術）の機能として必要な場合に採用する。有用な界面活性剤としてはたとえば、各種界面活性剤、特にノニオン性界面活性剤、ブチルジグリコール、１，２−ヘキサンジオールなどが挙げられる。
【０２５５】
本発明のインキにはさらに、通常使用される添加物たとえば真菌や細菌の成長を抑制するための物質を、インキの全重量を基準にして０．０１〜１重量％の量で加えることができる。
【０２５６】
このインキは、常法に従って、成分を水に混合させることによって調製することができる。
【０２５７】
本発明のインキは、幅広く各種の予備処理をした材料、たとえば絹、皮革、羊毛、ポリアミド繊維及びポリウレタン、及び各種のセルロース系繊維材料を捺染するための、インクジェット捺染プロセスにおいて特に有用である。ブレンド布地、たとえば綿、絹、羊毛とポリエステル繊維若しくはポリアミド繊維とのブレンド物もまた、同様に捺染することができる。
【０２５８】
捺染インキに必要なすべての化学薬品がすでに含まれている、通常の織物の捺染の場合とは対照的に、デジタル又はインクジェットプリントの場合には、別の前処理ステップにおいて助剤を織物基材に塗布しておかねばならない。
【０２５９】
たとえばセルロース及び再生セルロース繊維、さらには絹及び羊毛のような織物基材の前処理は、捺染に先立って水性アルカリ液で行う。それに加えて、捺染インキを適用したときに移動性物質（ｍｏｔｉｖｅｓ）の流動を防止するための増粘剤、たとえばアルギン酸ナトリウム、変性ポリアクリレート、又は高エーテル化ガラクトマンナンなどが必要である。
【０２６０】
これらの前処理用反応剤は、好適なアプリケータを使用して所定の量を均一に織物基材に塗布するが、そのためにはたとえば、２本又は３本ロールパッド、無接触スプレー技術を用いたり、発泡塗布の手段によったり、あるいは程よく適合させたインクジェット技術を用いたりして、その後に乾燥させる。
【０２６１】
以下の実施例を使用して、本発明を説明する。部及びパーセントは、特に記さない限り、重量によるものである。重量部と容積部との間の関係は、キログラムとリットルの間の関係と同じである。
【実施例】
【０２６２】
実施例１のための合成手順
６．７部の４−アミノ−５−ヒドロキシナフタレン−２，７−ジスルホン酸（ａ）を７０部の水の中に添加した。氷を使用してその反応容器を冷却して、０〜５℃とした。その反応混合物の中に、１．５部の亜硝酸ナトリウムを添加した。撹拌を１０分間してから、２０．７部の３７％塩酸を添加した。その反応液を、０〜５℃で０．５時間撹拌してから、０．２部のスルファミン酸を添加した。
【０２６３】
３．６部の１−エチル−６−ヒドロキシ−４−メチル−２−オキソ−１，２−ジヒドロピリジン−３−カルボニトリル（ｅ）を水／メタノール混合物の中に溶解させた。氷を使用してその反応容器を冷却して、０〜５℃とした。ｐＨをわずかに酸性側に維持しながら、カップリング剤の中にジアゾニウム塩を徐々に添加した。中間体（ｆ）の生成が完了するまで、反応液を撹拌した。
【化３３】
2015531001.tif 000236
【０２６４】
５．９部の｛２−［（４−アミノベンゼン）スルホニル］エトキシ｝スルホン酸（ｇ）を５０部の水の中に懸濁させた。氷を使用してその反応容器を冷却して、０〜５℃とした。その反応混合物の中に、６．２部の３７％塩酸を添加した。１０分間撹拌してから、１．５部の亜硝酸ナトリウムを添加した。その反応液を０〜５℃で１時間撹拌してから、０．２部のスルファミン酸を添加した。
【０２６５】
そのようにして得られたジアゾニウム塩を、ｐＨをわずかに酸性側に維持しながら、（ｆ）の溶液の中に徐々に添加した。その反応液を２時間撹拌した。反応が完結した後に、沈殿、濾過、及び乾燥させると、実施例１のもの１５．２部が、黒色の固形物として得られた。
【化３４】
2015531001.tif 000237
【０２６６】
実施例２のための合成手順
８．０部の４−アミノ−５−ヒドロキシナフタレン−２，７−ジスルホン酸（ａ）を５０部の水に溶解させた。その反応混合物の中に、５．１部の亜硝酸ナトリウム溶液を添加した。氷−塩混合物を使用して、その反応容器を冷却して、０〜５℃とした。１０分後に、その反応混合物に７．５部の３７％塩酸を添加した。その反応混合物を、１〜２時間撹拌した。反応が完結した後に、その反応混合物に０．２部のスルファミン酸を添加した。
【０２６７】
８．７部のカップリング成分（ｂ）を、５０部の水の中に懸濁させた。ジアゾ成分を添加した。その反応混合物を、２時間撹拌した。反応が完結した後、塩を添加してから濾過することによって、１６．１部の反応生成物（ｃ）が得られた。
【化３５】
2015531001.tif 000238
【０２６８】
８．６部の２，５−ジメトキシフェニル−４（２−スルファトエチル）スルホニルアニリン（ｄ）を５０部の水の中に懸濁させ、１０分間撹拌した。その反応混合物に７．５部の３７％塩酸を添加した。氷−塩混合物を使用して、その反応容器を冷却して、０〜５℃とした。その反応混合物の中に、５．１部の亜硝酸ナトリウム溶液を添加した。その反応混合物を、１〜２時間撹拌した。
【０２６９】
反応が完結した後に、その反応混合物に０．２部のスルファミン酸を添加した。１７．７部のカップリング剤（ｃ）を５０部の水の中に溶解させた。この溶液に、ジアゾ成分を、１時間かけて滴下により添加した。その反応混合物を、２時間撹拌した。反応が完結した後、塩を添加してから濾過することによって、２６．３部の実施例３の化合物が得られた。
【化３６】
2015531001.tif 000239
【０２７０】
実施例１２４のための合成手順
６．７部の４−アミノ−５−ヒドロキシナフタレン−２，７−ジスルホン酸（ａ）を７０部の水の中に添加した。氷を使用してその反応容器を冷却して、０〜５℃とした。その反応混合物の中に、１．５部の亜硝酸ナトリウムを添加した。撹拌を１０分間してから、２０．７部の３７％塩酸を添加した。その反応液を、０〜５℃で０．５時間撹拌してから、０．２部のスルファミン酸を添加した。
【０２７１】
７．６６部の１−（スルファトエチルスルホニルエチル）−６−ヒドロキシ−４−メチル−２−オキソ−１，２−ジヒドロピリジン−３−カルボアミド（ｈ）を、水／メタノール混合物の中に溶解させた。氷を使用してその反応容器を冷却して、０〜５℃とした。ｐＨをわずかに酸性側に維持しながら、カップリング剤の中にジアゾニウム塩を徐々に添加した。中間体（ｉ）の生成が完了するまで、反応液を撹拌した。
【化３７】
2015531001.tif 000240
【０２７２】
５．９部の｛２−［（４−アミノベンゼン）スルホニル］エトキシ｝スルホン酸（ｇ）を５０部の水の中に懸濁させた。氷を使用してその反応容器を冷却して、０〜５℃とした。その反応混合物の中に、６．２部の３７％塩酸を添加した。１０分間撹拌してから、１．５部の亜硝酸ナトリウムを添加した。その反応液を０〜５℃で１時間撹拌してから、０．２部のスルファミン酸を添加した。
【０２７３】
そのようにして得られたジアゾニウム塩を、ｐＨをわずかに酸性側に維持しながら、（ｉ）の溶液の中に徐々に添加した。その反応液を２時間撹拌した。反応が完結した後に、沈殿、濾過、及び乾燥すると、実施例１２１のもの２０．０８部が、黒色の固形物として得られた。
【化３８】
2015531001.tif 000241
【０２７４】
染色例１
２部の式（Ｉ）として得られた染料及び５０部の塩化ナトリウムを９９９部の水の中に溶解させ、５部の炭酸ナトリウム及び１部の均染剤を添加した。この染浴に、１００部の綿織物を浸漬させた。染浴の温度を上げて３０℃とし、３０分間保持した。さらに、染浴の温度を６０℃にまで上げ、６０℃で６０分間保持した。次いで、まず水を用いて、その染色した布地をすすぎ洗いした。次いで、その染色した布地を、１部の６０％酢酸を含む水溶液１０００部を使用して中和させ、５０℃で３０〜４０分加熱した。その染色した布地を７０℃で水を用いてすすぎ洗いしてから、洗濯用洗剤を用い沸騰状態で３０〜４０分かけて石鹸で落とし、次いで再度のすすぎ洗いをし、スパン乾燥させた。
【０２７５】
染色例２
１部の式（Ｉ）の染料を２０００部の水の中に溶解させ、８０℃で２０分間加熱し、１部の均染剤を添加した。次いで酢酸（６０％）を使用してそのｐＨを４．５に調節し、１００部の羊毛布地をその染浴に浸漬させた。染浴を加熱して、１５分間４０℃とした。温度を上げて９８℃とし、９８℃で９０分間保持した。次いで染色温度を下げて６０℃とし、布地を染浴から取り出した。水を用いてその染色した布地を洗浄し、スパン乾燥させた。
【０２７６】
染色例３
１部の式（Ｉ）の染料を２０００部の水の中に溶解させ、１部の均染剤（高級脂肪族アミンとエチレンオキシドとの縮合反応生成物をベースとするもの）及び６部の酢酸ナトリウムを添加した。次いで、酢酸（８０％）を用いてそのｐＨを５に調節した。その染浴を加熱して、１０分間５０℃とし、次いで１００部のポリアミド織布を浸漬させた。５０分かけてその温度を１１０℃にまで上げ、次いで、冷却によってその染色温度を６０℃にまで下げ、染色した材料を取り出した。熱水及び冷水を用いてそのポリアミド布地を洗浄し、石鹸洗いをし、スパン乾燥させた。
【０２７７】
染色例４
シルケット綿からなる織布を、３５ｇ／Ｌの炭酸ナトリウムカルシウム、１００ｇ／Ｌの尿素及び１５０ｇ／Ｌの低粘度のアルギン酸ナトリウム溶液（６％）を含む液でパジングし、次いで乾燥させた。液の付着率は７０％であった。そのようにして前処理した織物を、２％の実施例（Ｉ）の染料、２０％のスルホラン、０．０１％のＭｅｒｇａｌ  Ｋ９Ｎ、及び７７．９９％の水を含む水性インキを用い、ドロップ・オン・デマンド（バブルジェット）インキ−ジェット印刷ヘッドを使用して、捺染した。捺染物は完全に乾燥させた。飽和スチームの手段を用い１０２℃で８分間の加熱により固着させた。その捺染物を次いで温水洗いをし、９５℃の熱水で堅牢洗いにかけた。温水で再びすすぎ洗いしてから、乾燥させた。
【国際調査報告】
2015531001.tif 000273
2015531001.tif 000274